(57)【特許請求の範囲】
【請求項１】
無線通信を利用して所定のネットワークに接続するための接続権を共有する複数の無線通信装置から構成されるグループを識別するためのグループ識別情報と、通信サービスを利用する際に用いられるログイン情報とを関連付けて保持する保持部と、
前記グループに属する無線通信装置を識別するための装置識別情報を含む、前記ログイン情報の供給要求を無線通信装置から受信した場合には、前記供給要求に含まれる前記装置識別情報に基づいて検出されたグループ識別情報に関連付けられているログイン情報を、前記供給要求を送信した無線通信装置に送信する制御を行う制御部と、
前記グループ識別情報を含む、前記装置識別情報を登録するための登録要求を前記グループに属する無線通信装置から受信した場合に、前記グループ識別情報と当該グループ識別情報に係るグループに属する各無線通信装置に係る前記装置識別情報とを無線通信装置ごとに関連付けて保持して前記グループを管理する管理システムに、前記登録要求に含まれるグループ識別情報を送信し、当該グループ識別情報に係るグループに属する各無線通信装置に係る前記装置識別情報を、前記管理システムから取得する取得部とを具備し、
前記制御部は、前記取得された装置識別情報と前記ログイン情報と前記グループ識別情報とを関連付けて前記保持部に保持させる
情報処理装置。
【請求項２】
前記情報処理装置は、前記ログイン情報を前記無線通信装置に送信する送信サービスを提供するサーバであり、
前記取得部は、前記送信サービスの提供を受けるためのログイン要求が行われた際に、前記管理システムが管理するグループに関するグループ情報を変更するための認証情報が供給された場合には、前記グループ識別情報および前記装置識別情報を取得する
請求項１記載の情報処理装置。
【請求項３】
前記管理システムは、ＲＯ（Registration Operator）であり、
前記取得部は、前記ＲＯに接続するために用いられるＰＣＩＤ（Provisional Connectivity Identity）を前記装置識別情報として取得する
請求項１記載の情報処理装置。
【請求項４】
無線通信を利用して所定のネットワークに接続するための接続権を共有する複数の無線通信装置から構成されるグループを識別するためのグループ識別情報と、通信サービスを利用する際に用いられるログイン情報とを関連付けて保持する保持部と、前記グループに属する無線通信装置を識別するための装置識別情報を含む、前記ログイン情報の供給要求を無線通信装置から受信した場合には、前記供給要求に含まれる前記装置識別情報に基づいて検出されたグループ識別情報に関連付けられているログイン情報を、前記供給要求を送信した無線通信装置に送信する制御を行う制御部と、前記グループ識別情報を含む、前記装置識別情報を登録するための登録要求を前記グループに属する無線通信装置から受信した場合に、前記グループ識別情報と当該グループ識別情報に係るグループに属する各無線通信装置に係る前記装置識別情報とを無線通信装置ごとに関連付けて保持して前記グループを管理する管理システムに、前記登録要求に含まれるグループ識別情報を送信し、当該グループ識別情報に係るグループに属する各無線通信装置に係る前記装置識別情報を、前記管理システムから取得する取得部とを備え、前記制御部は、前記取得された装置識別情報と前記ログイン情報と前記グループ識別情報とを関連付けて前記保持部に保持させる情報処理装置と、
前記通信サービスを利用する際に、前記ログイン情報の供給要求を前記情報処理装置に送信し、前記情報処理装置から前記ログイン情報が供給された場合には、当該ログイン情報に基づいて前記通信サービスにログインし、当該ログインの後に前記通信サービスの利用に関するデータの送受信の制御を行う無線通信装置と
を具備する通信システム。
【請求項５】
無線通信を利用して所定のネットワークに接続するための接続権を共有する複数の無線通信装置から構成されるグループを識別するためのグループ識別情報と、通信サービスを利用する際に用いられるログイン情報とが保持部に関連付けて保持されている場合に、前記グループに属する無線通信装置を識別するための装置識別情報を含む、前記ログイン情報の供給要求を無線通信装置から受信した場合には、前記供給要求に含まれる前記装置識別情報に基づいて検出されたグループ識別情報に関連付けられているログイン情報を、前記供給要求を送信した無線通信装置に送信し、前記グループ識別情報を含む、前記装置識別情報を登録するための登録要求を前記グループに属する無線通信装置から受信した場合に、前記グループ識別情報と当該グループ識別情報に係るグループに属する各無線通信装置に係る前記装置識別情報とを無線通信装置ごとに関連付けて保持して前記グループを管理する管理システムに、前記登録要求に含まれるグループ識別情報を送信し、当該グループ識別情報に係るグループに属する各無線通信装置に係る前記装置識別情報を、前記管理システムから取得する制御手順を具備し、
前記制御手順は、前記取得された装置識別情報と前記ログイン情報と前記グループ識別情報とを関連付けて前記保持部に保持させる
情報処理装置の制御方法。
【請求項６】
無線通信を利用して所定のネットワークに接続するための接続権を共有する複数の無線通信装置から構成されるグループを識別するためのグループ識別情報と、通信サービスを利用する際に用いられるログイン情報とが保持部に関連付けて保持されている場合に、前記グループに属する無線通信装置を識別するための装置識別情報を含む、前記ログイン情報の供給要求を無線通信装置から受信した場合には、前記供給要求に含まれる前記装置識別情報に基づいて検出されたグループ識別情報に関連付けられているログイン情報を、前記供給要求を送信した無線通信装置に送信し、前記グループ識別情報を含む、前記装置識別情報を登録するための登録要求を前記グループに属する無線通信装置から受信した場合に、前記グループ識別情報と当該グループ識別情報に係るグループに属する各無線通信装置に係る前記装置識別情報とを無線通信装置ごとに関連付けて保持して前記グループを管理する管理システムに、前記登録要求に含まれるグループ識別情報を送信し、当該グループ識別情報に係るグループに属する各無線通信装置に係る前記装置識別情報を、前記管理システムから取得する制御手順をコンピュータに実行させるプログラムであって、
前記制御手順は、前記取得された装置識別情報と前記ログイン情報と前記グループ識別情報とを関連付けて前記保持部に保持させる
プログラム。
【発明の詳細な説明】
【技術分野】
【０００１】
本技術は、情報処理装置に関する。詳しくは、ネットワークに接続する情報処理装置、通信システムおよび情報処理装置の制御方法ならびに当該方法をコンピュータに実行させるプログラムに関する。
【背景技術】
【０００２】
現在、公衆無線通信ネットワークの技術仕様を策定している３ＧＰＰ（3rd Generation Partnership Project）において機能拡張が検討されている（例えば、非特許文献１参照。）。
【０００３】
この機能拡張（Machine to Machine Equipmentと称される）によれば、サービス利用可能であることを示す情報について柔軟な使い方が可能になる。このサービス利用可能であることを示す情報は、ＭＣＩＭ（Machine Communication Identity Module）である。例えば、ＭＣＩＭをネットワークからダウンロードしたり、一時的に停止したり、再開することができるようになる。
【０００４】
また、現在、このＭＣＩＭに相当する情報は、ＳＩＭ（Subscriber Identity Module）カードと呼ばれる物理デバイスに保存する必要がある。しかしながら、ＭＣＩＭをソフトウェアとして扱うことにより、保存方法も柔軟にすることができるようになる。
【先行技術文献】
【非特許文献】
【０００５】
【非特許文献１】3GPP TR 33.812 V9.2.0（2010-06）
【発明の概要】
【発明が解決しようとする課題】
【０００６】
上述の機能拡張を利用することにより、従来とは異なるＭＣＩＭの使用方法が考えられるようになる。
【０００７】
例えば、複数の無線通信装置間においてＭＣＩＭを共有することが想定される。この場合には、ＭＣＩＭを共有する無線通信装置から所望の通信サービスを利用することができるようになる。しかしながら、例えば、ユーザが所望する通信サービスがログインを必要とする場合には、ＭＣＩＭが設定されている無線通信装置であっても、すぐにログインできない恐れがある。そこで、複数の無線通信装置間においてＭＣＩＭを共有する場合に、ユーザ好みの通信サービスを容易に受けることができれば、便利である。
【０００８】
本技術はこのような状況に鑑みて生み出されたものであり、ユーザ好みの通信サービスを容易に受けることを目的とする。
【課題を解決するための手段】
【０００９】
本技術は、上述の問題点を解消するためになされたものであり、その第１の側面は、無線通信を利用して所定のネットワークに接続するための接続権を共有する複数の無線通信装置から構成されるグループを識別するためのグループ識別情報と、通信サービスを利用する際に用いられるログイン情報とを関連付けて保持する保持部と、上記グループに属する無線通信装置を識別するための装置識別情報を含む、上記ログイン情報の供給要求を無線通信装置から受信した場合には、上記供給要求に含まれる上記装置識別情報に基づいて検出されたグループ識別情報に関連付けられているログイン情報を、上記供給要求を送信した無線通信装置に送信する制御を行う制御部と、上記グループ識別情報を含む、上記装置識別情報を登録するための登録要求を上記グループに属する無線通信装置から受信した場合に、上記グループ識別情報と当該グループ識別情報に係るグループに属する各無線通信装置に係る上記装置識別情報とを無線通信装置ごとに関連付けて保持して上記グループを管理する管理システムに、上記登録要求に含まれるグループ識別情報を送信し、当該グループ識別情報に係るグループに属する各無線通信装置に係る上記装置識別情報を、上記管理システムから取得する取得部とを具備し、上記制御部は、上記取得された装置識別情報と上記ログイン情報と上記グループ識別情報とを関連付けて上記保持部に保持させる情報処理装置およびその制御方法ならびに当該方法をコンピュータに実行させるプログラムである。これにより、ログイン情報の供給要求を無線通信装置から受信した場合には、供給要求に含まれる装置識別情報に基づいて検出されたグループ識別情報に関連付けられているログイン情報を、供給要求を送信した無線通信装置に送信し、登録要求を受信した場合に、その登録要求に含まれるグループ識別情報を管理システムに送信し、そのグループ識別情報に係るグループに属する各無線通信装置に係る装置識別情報を、管理システムから取得し、その取得された装置識別情報と、ログイン情報と、グループ識別情報とを関連付けて保持部に保持させるという作用をもたらす。
【００１２】
また、この第１の側面において、上記情報処理装置は、上記ログイン情報を上記無線通信装置に送信する送信サービスを提供するサーバであり、上記取得部は、上記送信サービスの提供を受けるためのログイン要求が行われた際に、上記管理システムが管理するグループに関するグループ情報を変更するための認証情報が供給された場合には、上記グループ識別情報および上記装置識別情報を取得するようにしてもよい。これにより、情報処理装置が提供するサービスへのログインの際に、管理システムが管理するグループを特定するための情報を変更するための認証情報が供給された場合には、識別情報および装置識別情報を取得させるという作用をもたらす。
【００１３】
また、この第１の側面において、上記管理システムは、ＲＯ（Registration Operator）であり、上記取得部は、上記ＲＯに接続するために用いられるＰＣＩＤ（Provisional Connectivity Identity）を上記装置識別情報として取得するようにしてもよい。これにより、ＰＣＩＤを用いて供給要求を送信した無線通信装置が属するグループに係る識別情報に関連付けられているログイン情報が供給されるという作用をもたらす。
【００１６】
また、本技術の第２の側面は、無線通信を利用して所定のネットワークに接続するための接続権を共有する複数の無線通信装置から構成されるグループを識別するためのグループ識別情報と、通信サービスを利用する際に用いられるログイン情報とを関連付けて保持する保持部と、上記グループに属する無線通信装置を識別するための装置識別情報を含む、上記ログイン情報の供給要求を無線通信装置から受信した場合には、上記供給要求に含まれる上記装置識別情報に基づいて検出されたグループ識別情報に関連付けられているログイン情報を、上記供給要求を送信した無線通信装置に送信する制御を行う制御部と、上記グループ識別情報を含む、上記装置識別情報を登録するための登録要求を上記グループに属する無線通信装置から受信した場合に、上記グループ識別情報と当該グループ識別情報に係るグループに属する各無線通信装置に係る上記装置識別情報とを無線通信装置ごとに関連付けて保持して上記グループを管理する管理システムに、上記登録要求に含まれるグループ識別情報を送信し、当該グループ識別情報に係るグループに属する各無線通信装置に係る上記装置識別情報を、上記管理システムから取得する取得部とを備え、上記制御部は、上記取得された装置識別情報と上記ログイン情報と上記グループ識別情報とを関連付けて上記保持部に保持させる情報処理装置と、上記通信サービスを利用する際に、上記ログイン情報の供給要求を上記情報処理装置に送信し、上記情報処理装置から上記ログイン情報が供給された場合には、当該ログイン情報に基づいて上記通信サービスにログインし、当該ログインの後に上記通信サービスの利用に関するデータの送受信の制御を行う無線通信装置とを具備する通信システムおよびその制御方法ならびに当該方法をコンピュータに実行させるプログラムである。これにより、情報処理装置は、ログイン情報の供給要求を無線通信装置から受信した場合には、供給要求に含まれる装置識別情報に基づいて検出されたグループ識別情報に関連付けられているログイン情報を、供給要求を送信した無線通信装置に送信し、登録要求を受信した場合には、その登録要求に含まれるグループ識別情報を管理システムに送信し、そのグループ識別情報に係るグループに属する各無線通信装置に係る装置識別情報を、管理システムから取得し、その取得された装置識別情報と、ログイン情報と、グループ識別情報とを関連付けて保持部に保持させ、無線通信装置は、通信サービスを利用する際に、ログイン情報の供給要求を情報処理装置に送信し、情報処理装置からログイン情報が供給された場合には、そのログイン情報に基づいて通信サービスにログインし、そのログインの後に通信サービスの利用に関するデータの送受信の制御を行うという作用をもたらす。
【発明の効果】
【００１７】
本技術によれば、ユーザ好みの通信サービスを容易に受けることができるという優れた効果を奏し得る。
【図面の簡単な説明】
【００１８】
【図１】本技術の第１の実施の形態における複数の無線通信装置（デバイス）の使用例を簡略化して示す図である。
【図２】本技術の第１の実施の形態における通信システム１０のシステム構成例を示すブロック図である。
【図３】本技術の第１の実施の形態における通信システム１００のシステム構成例を示すブロック図である。
【図４】本技術の第１の実施の形態におけるグループ管理データベース２２０を模式的に示す図である。
【図５】本技術の第１の実施の形態におけるプロファイル記憶部１８０に記憶されるプロファイルデータベース１８１を模式的に示す図である。
【図６】本技術の第１の実施の形態における第１の無線通信装置３００の内部構成例を示すブロック図である。
【図７】本技術の第１の実施の形態において、機器管理システムにログインする際に無線通信装置（第１の無線通信装置３００）に表示されるログイン画面（機器管理システムログイン画面４１０）の一例を示す図である。
【図８】本技術の第１の実施の形態において、機器管理システムに管理対象アカウントを登録する際に第１の無線通信装置３００に表示される登録画面（管理対象アカウント登録画面４２０）の一例を示す図である。
【図９】本技術の第１の実施の形態において、情報処理装置（第１事業者）１７０が通信制御装置（第１通信事業者）２００からグループ情報を取得する際の流れを簡略化して示す図である。
【図１０】本技術の第１の実施の形態において、管理対象のサービスのログイン情報を、第１の無線通信装置３００を介して登録する際の流れを簡略化して示す図である。
【図１１】本技術の第１の実施の形態において、第２の無線通信装置１３０を用いて情報処理装置（第２事業者）１６０のサービスを利用する際の流れを簡略化して示す図である。
【図１２】本技術の第１の実施の形態における通信システム１００を構成する各装置間において、プロファイルにログイン情報を登録する際に行われる通信処理の一例を示すシーケンスチャートである。
【図１３】本技術の第１の実施の形態における通信システム１００を構成する各装置間において、プロファイルにログイン情報を登録する際に行われる通信処理の一例を示すシーケンスチャートである。
【図１４】本技術の第１の実施の形態における通信システム１００を構成する各装置間において、ログイン情報を取得してサービスを利用する際に行われる通信処理の一例を示すシーケンスチャートである。
【図１５】本技術の第１の実施の形態における通信システム１００を構成する各装置間において、ログイン情報を取得してサービスを利用する際に行われる通信処理の一例を示すシーケンスチャートである。
【図１６】本技術の第１の実施の形態における通信システム１００を構成する各装置間において、ＭＣＩＭを移転する際に行われる通信処理の一例を示すシーケンスチャートである
【図１７】本技術の第１の実施の形態において、管理対象サービスのログイン情報を設定する際の第１の無線通信装置３００の通信処理の処理手順の一例を示すフローチャートである。
【図１８】本技術の第１の実施の形態において、管理対象サービスが設定される際の情報処理装置（第１事業者）１７０の通信処理の処理手順の一例を示すフローチャートである。
【図１９】本技術の第１の実施の形態において、第２の無線通信装置１３０がデータ（写真）をアップロードする際の第２の無線通信装置１３０の通信処理の処理手順の一例を示すフローチャートである。
【図２０】本技術の第１の実施の形態において、データ（写真）がアップロードされる際の情報処理装置（第１事業者）１７０の通信処理の処理手順の一例を示すフローチャートである。
【図２１】本技術の第２の実施の形態における通信システムを構成する各装置間において、ログイン情報を取得してサービスを利用する際に行われる通信処理の一例を示すシーケンスチャートである。
【発明を実施するための形態】
【００１９】
以下、本技術を実施するための形態（以下、実施の形態と称する）について説明する。説明は以下の順序により行う。
１．第１の実施の形態（無線通信制御：ＭＣＩＭのグループと関連付けたログイン情報を無線通信装置に供給する例）
２．第２の実施の形態（無線通信制御：ログイン情報を無線通信装置に供給する度に、グループに関する情報をＲＯから取得する例）
【００２０】
＜１．第１の実施の形態＞
［無線通信装置の使用例］
図１は、本技術の第１の実施の形態における複数の無線通信装置（デバイス）の使用例を簡略化して示す図である。
【００２１】
図１（ａ）には、ユーザ６０が所有する４つの無線通信装置（第１の無線通信装置３００、第２の無線通信装置１３０、第３の無線通信装置１４０および第４の無線通信装置１５０）を示す。
【００２２】
第１の無線通信装置３００は、ウェブブラウザを備え、文字入力が容易に行える無線通信装置（例えば、タブレットデバイス、ノート形パーソナルコンピュータ）である。また、第２の無線通信装置１３０は、例えば、無線通信機能を備える撮像装置（例えば、デジタルスチルカメラ、デジタルビデオカメラ（カメラ一体型レコーダ））である。また、第３の無線通信装置１４０は、例えば、無線通信機能を備える音声出力装置（例えば、携帯型ミュージックプレーヤー）である。また、第４の無線通信装置１５０は、例えば、携帯電話装置（例えば、通話機能およびデータ通信機能を備えるスマートフォン）である。なお、これらの無線通信装置は、ソフトウェアダウンローダブルＳＩＭ（Subscriber Identity Module）を利用することが可能な無線通信装置の一例である。また、ソフトウェアダウンローダブルＳＩＭを利用することが可能な他の無線通信装置（例えば、無線通信機能を備える電子書籍表示装置）についても適用することができる。また、例えば、無線通信機能を備える無線通信機器を装着することにより、無線通信を行うことが可能な情報処理装置（例えば、無線通信機能を備えていないパーソナルコンピュータ）についても適用することができる。
【００２３】
また、これらの４つの無線通信装置は、所定のネットワークに接続するための接続権を共有するグループ（グループ名：グループＡＢ）に属しているものとする。この接続権は、例えば、ＭＣＩＭ（Machine Communication Identity Module）の使用権として把握することができる。
【００２４】
ここで、ＭＣＩＭは、契約認証情報の一例であり、契約認証情報は、電話の加入者（Subscriber）情報と、認証鍵（Authentication）の情報とを含む情報である。ＭＣＩＭは、例えば、デバイス購入時には特定の通信事業者（例えば、携帯電話事業者）に限定されず、購入後に柔軟に通信事業者を設定することができる契約認証情報（いわゆる、ソフトＳＩＭ）である。また、ＭＣＩＭをネットワーク上から書き換え可能とすることにより、携帯電話機の販売と通信事業者選択とを分離し易くなり、さらに、複数の無線通信装置間で契約認証情報を容易に共有することができる。また、ＭＣＩＭの使用権を保持していない場合は、例えば、ＭＣＩＭ自体を保持していない場合、または、ＭＣＩＭの無効化処理により無効とされたＭＣＩＭのみを保持している場合を意味する。
【００２５】
図１（ｂ）には、第２の無線通信装置１３０を用いて写真撮影を行う場合を簡略化して示す。
【００２６】
ここで、例えば、第２の無線通信装置（例えば、カメラ）は、インターネット等のネットワークに接続して通信処理を行うことが比較的少ないと想定される。このため、第２の無線通信装置（例えば、カメラ）については、インターネット等のネットワークに常時接続しておく必要はない。例えば、運動会等のイベントにおいて写真撮影を行った場合に、その写真をコンテンツサーバ８０にアップロードするため、第２の無線通信装置（例えば、カメラ）を、インターネット等のネットワークに接続することが想定される。
【００２７】
すなわち、第２の無線通信装置（例えば、カメラ）のようなデバイスは、通常時には、限定接続状態としておき、必要に応じて、ＭＣＩＭの使用権を一時的に利用することにより、対応が可能であることが多い。
【００２８】
なお、第２の無線通信装置のようなデバイスは、ウェブブラウザを備えていないことが多いため、コンテンツサーバ８０のネットワークサービスなどの登録はできないことが多い。また、ネットワークサービスのログインについても、双方において対応していることが必要になる。すなわち、第２の無線通信装置のようなデバイスからでもネットワークサービスを簡単に利用できると利便である。
【００２９】
そこで、本技術の第１の実施の形態では、ＭＣＩＭを共有する複数の無線通信装置のグループ単位でネットワークサービスのログイン情報（アカウント情報）を管理して、無線通信装置のネットワークサービス利用を容易にさせる例を示す。
【００３０】
［通信システムの構成例］
図２は、本技術の第１の実施の形態における通信システム１０のシステム構成例を示すブロック図である。図２では、ＳＨＯ（Selected Home Operator）およびＲＯ（Registration Operator）から構成されるネットワーク構成を前提とする場合における通信システムの構成例を示す（例えば、非特許文献１参照。）。
【００３１】
また、図２（ａ）には、第１の無線通信装置３００が有効なＭＣＩＭ（ＭＣＩＭの使用権）３０１を保持している場合における無線通信例を示す。また、図２（ｂ）には、第１の無線通信装置３００が有効なＭＣＩＭ（ＭＣＩＭの使用権）３０１を保持していない場合における無線通信例を示す。
【００３２】
通信システム１０は、ＲＯ２０と、ＳＨＯ３０と、基地局２１、３１と、ネットワーク４０と、情報処理装置５１と、第１の無線通信装置３００とを備える。
【００３３】
ここで、ＲＯ、ＳＨＯは、論理的な役割を示すものであり、異なる事業者により運営されることが想定されるが、同一の事業者により運営されることも想定される。また、ＲＯ、ＳＨＯは、それぞれ複数存在することも想定される。また、ＲＯ、ＳＨＯのそれぞれは、情報処理装置として一体として構成されるようにしてもよく、複数の装置により構成されるようにしてもよい。ここで、ＲＯ、ＳＨＯは、有効なＭＣＩＭを有する無線通信装置を基準とする場合における相対的な役割を意味するものである。このため、１つの無線通信装置についてＲＯに相当するものが、他の無線通信装置についてはＳＨＯに相当する可能性もある。
【００３４】
図２（ａ）に示すように、第１の無線通信装置３００が有効なＭＣＩＭ（ＭＣＩＭの使用権）３０１を保持している場合には、第１の無線通信装置３００は、ＭＣＩＭ３０１に基づいて、基地局３１を介してＳＨＯ３０と接続することが可能となる。これに対して、図２（ｂ）に示すように、第１の無線通信装置３００が有効なＭＣＩＭ（ＭＣＩＭの使用権）３０１を保持していない場合には、第１の無線通信装置３００は、ＳＨＯ３０と接続することができない。ただし、この場合には、第１の無線通信装置３００は、ＰＣＩＤ（Provisional Connectivity Identity）に基づいて、基地局２１を介してＲＯ２０と接続することが可能となる。
【００３５】
ここで、ＰＣＩＤは、ＲＯに接続するための識別子（例えば、図４に示すネットワーク上の端末識別情報２２５）であり、ソフトウェアダウンローダブルＳＩＭの仕組みを有する全ての無線通信装置（デバイス）に付与される。
【００３６】
ネットワーク４０は、電話網、インターネット等のネットワーク（例えば、公衆回線網）である。また、ネットワーク４０とＳＨＯ３０とは、ゲートウェイ（図示せず）を介して接続される。同様に、ネットワーク４０とＲＯ２０とは、ゲートウェイ（図示せず）を介して接続される。
【００３７】
ＲＯ２０は、初期接続登録等のサービスを提供する無線事業者により管理される通信制御装置である。ＲＯ２０は、例えば、無線接続サービスを提供する無線事業者（例えば、携帯電話事業者）に対応する。また、ＲＯ２０は、制御部（図示せず）を備える。
【００３８】
ＲＯ２０の制御部は、基地局２１を介して接続される無線通信装置の認証制御を行うものである。例えば、ＲＯ２０の制御部は、基地局２１を介して接続される無線通信装置について、ＰＣＩＤに基づく認証を行う。そして、ＲＯ２０は、認証された無線通信装置について、初期接続登録等のサービスを提供する。また、ＲＯ２０の制御部は、ＳＨＯ３０と接続され、ＳＨＯ３０との間で各種情報のやり取りを行う。
【００３９】
基地局２１は、無線回線を介して第１の無線通信装置３００およびＲＯ２０を接続する移動体通信基地局（ＮｏｄｅＢ）である。
【００４０】
ＳＨＯ３０は、無線接続サービスを提供する無線事業者により管理される通信制御装置である。ＳＨＯ３０は、インターネット・サービス等を提供するものであり、例えば、無線接続サービスを提供する無線事業者（例えば、携帯電話事業者）に対応する。また、ＳＨＯ３０は、制御部（図示せず）を備える。
【００４１】
ＳＨＯ３０の制御部は、基地局３１を介して接続される無線通信装置の認証制御を行うものである。例えば、ＳＨＯ３０の制御部は、基地局３１を介して接続される無線通信装置のうち、ＳＨＯ３０の有効なＭＣＩＭ（契約認証情報）を保持する無線通信装置を認証する。そして、ＳＨＯ３０は、認証された無線通信装置をゲートウェイ（図示せず）を介してネットワーク４０に接続する。
【００４２】
また、ＳＨＯ３０の制御部は、ＲＯ２０と接続され、ＲＯ２０との間で各種情報のやり取りを行う。ここで、有効なＭＣＩＭ（契約認証情報）を保持していない無線通信装置は、その無線通信装置のＰＣＩＤに基づいて、ＳＨＯ３０を介したＲＯ２０との接続（限定接続）が可能である。
【００４３】
基地局３１は、無線回線を介して第１の無線通信装置３００およびＳＨＯ３０を接続する移動体通信基地局（ＮｏｄｅＢ）である。
【００４４】
サービス提供会社５０は、コンテンツ保存サービス、コンテンツ配信サービス等の各種通信サービスを提供する会社（ＳＰ（Service Provider））であり、これらの通信サービスを提供するための情報処理装置５１を備える。また、情報処理装置５１は、ネットワーク４０を介してＲＯ２０およびＳＨＯ３０に接続される。ここで、各種通信サービスを行う事業者は、無線接続サービスを提供する通信事業者、ＭＶＮＯ（Mobile Virtual Network Operator）（いわゆる、仮想通信事業者と称される事業形態の事業者）等が想定される。
【００４５】
情報処理装置５１は、ネットワーク４０を介して各種通信サービスを提供する情報処理装置であり、無線通信を利用して第１の無線通信装置３００に各種通信サービスを提供する。例えば、情報処理装置５１は、Ｗｅｂサービス、データダウンロードサービス、データアップロードサービス、オンラインゲーム等の通信サービスを提供する。
【００４６】
例えば、図２（ａ）に示すように、第１の無線通信装置３００が有効なＭＣＩＭ３０１を保持する場合には、第１の無線通信装置３００は、ＭＣＩＭ３０１に基づいて、無線回線を介して基地局３１と接続され、基地局３１を介してＳＨＯ３０と接続される。この場合には、第１の無線通信装置３００は、基地局３１を介してＳＨＯ３０と接続され、情報処理装置５１からの各種サービスの提供（例えば、コンテンツのダウンロード）を受けることができる。また、有効なＭＣＩＭ３０１を保持する第１の無線通信装置３００がＲＯ２０と接続する場合には、ＳＨＯ３０を介してＲＯ２０と接続される。
【００４７】
また、図２（ｂ）に示すように、第１の無線通信装置３００が有効なＭＣＩＭ３０１を保持していない場合は、第１の無線通信装置３００は、保持されているＰＣＩＤに基づいて、基地局２１を介してＲＯ２０との接続（限定接続）が可能である。この場合には、第１の無線通信装置３００は、基地局２１を介してＲＯ２０と接続（限定接続）されるが、限定的な通信（例えば、ＭＣＩＭのダウンロード、ＭＣＩＭの有効化／無効化）のみを行うことができる。
【００４８】
なお、第１の無線通信装置３００が有効なＭＣＩＭ３０１を保持していない場合には、第１の無線通信装置３００は、使用されている位置に応じて、基地局２１、３１の何れについても接続が可能であり、これらの基地局を介してＲＯ２０と接続される。
【００４９】
このように、有効なＭＣＩＭ３０１を保持していない第１の無線通信装置３００については、情報処理装置５１からの各種サービスの提供を受けることができない。すなわち、ＭＣＩＭの使用権を保持していない無線通信装置は、サービス限定接続しているデバイス（RO Connected Device）として把握することができる。これに対して、ＭＣＩＭの使用権を保持する無線通信装置は、サービス接続（通常接続）しているデバイス（SHO Connected Device）として把握することができる。なお、ＭＣＩＭの使用権を保持していない無線通信装置は、ＭＣＩＭの使用権をＲＯ２０経由で取得（例えば、ＭＣＩＭのダウンロード、ＭＣＩＭの有効化）することにより、ＳＨＯ３０への接続が可能となる。また、第２の無線通信装置１３０、第３の無線通信装置１４０、第４の無線通信装置１５０についても同様である。
【００５０】
［通信システムの構成例］
図３は、本技術の第１の実施の形態における通信システム１００のシステム構成例を示すブロック図である。
【００５１】
通信システム１００は、ネットワーク１１０と、基地局１２１、１２２、２０６と、第１の無線通信装置３００と、第２の無線通信装置１３０と、第３の無線通信装置１４０と、第４の無線通信装置１５０とを備える。また、通信システム１００は、通信制御装置（第２通信事業者）１２０と、通信制御装置（第１通信事業者）２００と、情報処理装置（第１事業者）１７０と、情報処理装置（第２事業者）１６０とを備える。
【００５２】
ここで、通信システム１００は、図２に示す通信システム１０に対応するシステムである。具体的には、通信制御装置（第２通信事業者）１２０は、図２に示すＳＨＯ３０に対応し、通信制御装置（第１通信事業者）２００は、図２に示すＲＯ２０に対応する。また、情報処理装置（第１事業者）１７０および情報処理装置（第２事業者）１６０は、図２に示す情報処理装置５１に対応する。このため、この例では、図２に示す通信システム１０と共通する部分についての説明の一部を省略する。
【００５３】
ネットワーク１１０は、電話網、インターネット等のネットワーク（例えば、公衆回線網）である。また、ネットワーク１１０と通信制御装置（第２通信事業者）１２０とは、ゲートウェイ（図示せず）を介して接続される。同様に、ネットワーク１１０と通信制御装置（第１通信事業者）２００とは、ゲートウェイ（図示せず）を介して接続される。
【００５４】
通信制御装置（第２通信事業者）１２０は、無線接続サービスを提供する無線事業者により管理される通信制御装置であり、図２に示すＳＨＯ３０に対応する。すなわち、通信制御装置（第２通信事業者）１２０は、インターネット・サービス等を提供するものであり、例えば、無線接続サービスを提供する無線事業者（例えば、携帯電話事業者）に対応する。また、通信制御装置１２０は、制御部１２５を備える。
【００５５】
制御部１２５は、基地局１２１、１２２を介して接続される無線通信装置の認証制御を行うものである。例えば、制御部１２５は、基地局１２１、１２２を介して接続される無線通信装置のうち、通信制御装置（第２通信事業者）１２０の有効なＭＣＩＭ（契約認証情報）を保持する無線通信装置を認証する。そして、通信制御装置１２０は、認証された無線通信装置をゲートウェイ（図示せず）を介してネットワーク１１０に接続する。
【００５６】
また、制御部１２５は、通信制御装置（第１通信事業者）２００と接続され、通信制御装置（第１通信事業者）２００との間で各種情報のやり取りを行う。ここで、有効なＭＣＩＭ（契約認証情報）を保持していない無線通信装置は、その無線通信装置のＰＣＩＤに基づいて、通信制御装置（第２通信事業者）１２０を介した通信制御装置（第１通信事業者）２００との接続（限定接続）が可能である。また、制御部１２５は、ＭＣＩＭの移転要求を無線通信装置から受信した場合には、その移転要求を通信制御装置（第１通信事業者）２００に送信する。
【００５７】
基地局１２１、１２２は、第１の無線通信装置３００、第２の無線通信装置１３０、第３の無線通信装置１４０、第４の無線通信装置１５０と、通信制御装置（第２通信事業者）１２０とを無線回線を介して接続する移動体通信基地局（ＮｏｄｅＢ）である。
【００５８】
例えば、通信システム１００において、有効なＭＣＩＭを保持する無線通信装置は、無線回線を介して基地局１２１、１２２と接続され、基地局１２１、１２２を介して通信制御装置（第２通信事業者）１２０と接続される。また、有効なＭＣＩＭを保持する無線通信装置が通信制御装置（第１通信事業者）２００と接続する場合には、通信制御装置（第２通信事業者）１２０を介して通信制御装置（第１通信事業者）２００と接続される。
【００５９】
また、有効なＭＣＩＭを保持していない無線通信装置は、その無線通信装置のＰＣＩＤに基づいて、基地局２０６を介して通信制御装置（第１通信事業者）２００との接続（限定接続）が可能である。なお、有効なＭＣＩＭを保持しない無線通信装置は、使用されている位置に応じて、基地局１２１、１２２、２０６の何れについても接続が可能であり、これらの基地局を介して通信制御装置（第１通信事業者）２００と接続される。
【００６０】
通信制御装置（第１通信事業者）２００は、初期接続登録等のサービスを提供する無線事業者により管理される通信制御装置であり、図２に示すＲＯ２０に対応する。通信制御装置（第１通信事業者）２００は、例えば、無線接続サービスを提供する無線事業者（例えば、携帯電話事業者）に対応する。また、通信制御装置（第１通信事業者）２００は、通信部２０５と、制御部２１０と、グループ管理データベース２２０とを備える。なお、通信制御装置（第１通信事業者）２００は、特許請求の範囲に記載の管理システムおよび管理サーバの一例である。
【００６１】
通信部２０５は、制御部２１０の制御に基づいて、各種情報の送受信を行うものである。通信部２０５は、例えば、通信制御装置（第２通信事業者）１２０、基地局２０６と接続され、これらを介して接続される各無線通信装置との間で各種情報の送受信を行う。
【００６２】
制御部２１０は、通信部２０５（または、通信部２０５および通信制御装置（第２通信事業者）１２０）を介して接続される無線通信装置に関する各種制御を行うものである。例えば、制御部２１０は、ＭＣＩＭの使用権を共有する複数の無線通信装置により構成されるグループに関する情報（グループ情報）をグループ管理データベース２２０から取得する。そして、制御部２１０は、そのグループ情報を、通信部２０５、通信制御装置（第２通信事業者）１２０を介して無線通信装置に供給する。
【００６３】
ここで、複数の無線通信装置間においてＭＣＩＭの使用権（ＭＣＩＭを使用する権利）を移転することにより、複数の無線通信装置によりＭＣＩＭを共有することができる。この場合には、この共有に係る複数の無線通信装置を１つのグループとして設定することができる。このグループについては、グループ管理データベース２２０により管理することができる。
【００６４】
このグループは、接続権（ネットワーク接続権）を共有するグループである。この接続権は、無線通信を利用して所定のネットワーク（例えば、ネットワーク１１０）に接続するための権利であり、例えば、ＭＣＩＭの使用権に対応する。すなわち、接続権は、通信事業者が運営する基地局に接続するためのＭＣＩＭ（契約認証情報）に基づいて、その基地局に接続するための権利である。また、例えば、接続権の有無は、ＭＣＩＭの使用権の有無に対応する。
【００６５】
グループ管理データベース２２０は、ＭＣＩＭを共有する複数の無線通信装置により構成されるグループを管理するためのデータベースである。なお、グループ管理データベース２２０については、図４を参照して詳細に説明する。
【００６６】
ここで、通信システム１００において、ＭＣＩＭの使用権を移転する例（ネットワーク接続権の移転例）について説明する。例えば、各無線通信装置にＭＣＩＭを保持させておく。そして、制御部２１０からの指示に基づいて、通信制御装置（第２通信事業者）１２０が各無線通信装置に保持されているＭＣＩＭの有効化／無効化を行うことにより、ＭＣＩＭの使用権を移転することができる。なお、各無線通信装置に保持されているＭＣＩＭの有効化／無効化については、通信制御装置（第１通信事業者）２００側で行うことも可能である。このため、制御部２１０が、各無線通信装置に保持されているＭＣＩＭの有効化／無効化を行うことにより、ＭＣＩＭの使用権を移転するようにしてもよい。
【００６７】
また、各無線通信装置にＭＣＩＭを保持させる代わりに、ＭＣＩＭそのものを移転することにより、ＭＣＩＭの使用権を移転するようにしてもよい。例えば、第１の無線通信装置３００から第２の無線通信装置１３０にＭＣＩＭの使用権を移転する場合を想定する。例えば、ＭＣＩＭの移転要求が、第１の無線通信装置３００から制御部２１０に送信される。この場合には、制御部２１０からの指示に基づいて、第１の無線通信装置３００に保持されているＭＣＩＭが通信制御装置（第２通信事業者）１２０により無効（消去）とされる。また、制御部２１０を介して通信制御装置（第２通信事業者）１２０から第２の無線通信装置１３０に設定情報（ＭＣＩＭを含む）が送信される。この設定情報に含まれるＭＣＩＭを第２の無線通信装置１３０に保持させることにより、第２の無線通信装置１３０に有効なＭＣＩＭが設定される。なお、各無線通信装置への設定情報（ＭＣＩＭを含む）の送信については、通信制御装置（第１通信事業者）２００側で行うことも可能である。このため、制御部２１０が、各無線通信装置に設定情報（ＭＣＩＭを含む）を送信することにより、ＭＣＩＭの使用権を移転するようにしてもよい。
【００６８】
情報処理装置（第１事業者）１７０および情報処理装置（第２事業者）１６０は、ネットワーク１１０を介して各種通信サービスを提供する情報処理装置（例えば、コンテンツサーバ）であり、無線通信を利用して各無線通信装置に各種通信サービスを提供する。例えば、情報処理装置（第２事業者）１６０は、コンテンツ記憶部１６１を備え、オンラインストレージサービスを提供する。
【００６９】
また、情報処理装置（第１事業者）１７０は、機器管理システムを提供する情報処理装置である。ここで、機器管理システムとは、ログイン情報（ログインＩＤ（アカウントＩＤ）およびログインパスワード（アカウントパスワード）が必要なサービスを複数の無線通信装置で利用可能にするためのサービスである。情報処理装置（第１事業者）１７０は、接続権を共有するグループに通信サービスのログイン情報（アカウント情報）を紐付けて保持する機能を備え、無線通信装置からの要求に応じてその保持するログイン情報を無線通信装置に供給する。情報処理装置（第１事業者）１７０は、制御部１７１と、グループ情報記憶部１７２と、プロファイル記憶部１８０とを備える。
【００７０】
制御部１７１は、情報処理装置（第１事業者）１７０が行う通信の制御を行うものである。例えば、制御部１７１は、無線通信装置から情報処理装置（第１事業者）１７０のログインＩＤとログインパスワードとが供給された場合には、プロファイル記憶部１８０に保持されているユーザごとの登録情報（プロファイル）を参照し、無線通信装置のユーザが、情報処理装置（第１事業者）１７０の提供サービスの登録者であるか否かを確認する。
【００７１】
また、制御部１７１は、グループ情報にアクセスするために必要な情報（グループＩＤ、グループパスワード）が無線通信装置から供給された場合には、グループ情報要求を通信制御装置（第１通信事業者）２００に送信する。このグループ情報要求は、グループ情報の送信を要求するための情報であり、少なくとも、グループＩＤおよびグループパスワードが含まれる。グループ情報要求を受信した通信制御装置（第１通信事業者）２００の制御部２１０は、グループ情報要求に含まれるグループＩＤおよびグループパスワードにより特定されるグループ情報をグループ管理データベース２２０から取得する。そして、その取得したグループ情報を情報処理装置（第１事業者）１７０の制御部１７１に送信する。なお、制御部１７１は、特許請求の範囲に記載の取得部、制御部および送信部の一例である。
【００７２】
グループ情報記憶部１７２は、通信制御装置（第１通信事業者）２００から供給されたグループ情報を記憶するものである。情報処理装置（第１事業者）１７０は、この記憶されたグループ情報を用いて、無線通信装置が属するグループを検出する。なお、本技術の実施の形態では、説明の便宜上、グループ情報を記憶する例について説明するが、グループに属する無線通信装置を識別する情報（端末識別情報）とグループの識別情報（例えば、グループＩＤ）とを保持するようにしても良い。すなわち、グループ情報記憶部１７２にはグループに属する無線通信装置のリストが保持され、情報処理装置（第１事業者）１７０は、このリストを用いて無線通信装置が属するグループを検出する。
【００７３】
プロファイル記憶部１８０は、情報処理装置（第１事業者）１７０の提供サービスの登録者の情報（プロファイル）を保持するものである。例えば、プロファイル記憶部１８０は、複数のユーザのプロファイルをデータベースとして保持する。このプロファイル記憶部１８０が保持するプロファイルには、ユーザのアカウント情報が登録される。このプロファイルには、少なくとも、ユーザのグループの識別情報（例えば、グループＩＤ）と、接続権（ネットワーク接続権）を共有するグループに属する無線通信装置に提供されるサービスのログイン情報とが関連付けられて登録される。なお、プロファイル記憶部１８０に保持されるプロファイルについては、図５を参照して説明するため、ここでの説明を省略する。そして、このログイン情報は、無線通信装置からの要求に応じて無線通信装置に供給される。
【００７４】
［グループ管理データベースの構成例］
図４は、本技術の第１の実施の形態におけるグループ管理データベース２２０を模式的に示す図である。
【００７５】
図４には、グループＡＢに、第１の無線通信装置３００、第２の無線通信装置１３０、第３の無線通信装置１４０および第４の無線通信装置１５０が登録されている場合を示す。
【００７６】
グループ管理データベース２２０には、グループ名称２２１と、グループＩＤ２２２と、グループパスワード２２３と、デバイスネーム２２４と、端末識別情報２２５と、有効無効情報２２６とがグループ単位で関連付けて記憶されている。これらの情報は、例えば、各無線通信装置からの各要求（グループ追加要求、グループ削除要求）に基づいて、制御部２１０により順次更新される。
【００７７】
グループ名称２２１には、グループに付与されている名称が格納される。この名称は、例えば、グループの作成時に格納される。
【００７８】
グループＩＤ２２２には、グループに付与されているＩＤが格納される。また、グループパスワード２２３には、グループに付与されているパスワードが格納される。これらのＩＤおよびパスワードを用いて、例えば、新たな無線通信装置をグループに追加するグループ追加要求が行われる。すなわち、これらのＩＤおよびパスワードは、グループを特定するための情報を変更するための認証情報である。また、グループに属する各無線通信装置は、そのグループに付与されているＩＤおよびパスワードを記憶しておくようにしてもよい（例えば、図６に示すメモリ３４０に記憶）。あるいは、ＩＤおよびパスワードを無線通信装置に記憶させずにユーザに毎回入力させるような態様とするようにしてもよい。
【００７９】
デバイスネーム２２４には、デバイスに付与されている名称が格納される。この名称は、例えば、無線通信装置のグループへの追加登録時に格納される。
【００８０】
端末識別情報２２５には、無線通信装置（デバイス）の端末識別番号が格納される。この端末識別情報は、無線通信装置を識別するための識別情報であり、例えば、ＰＣＩＤが格納される。また、図４では、端末識別情報２２５の「ＰＣＩＤ＃１」が第１の無線通信装置３００に対応するものとする。同様に、端末識別情報２２５の「ＰＣＩＤ＃２」が第２の無線通信装置１３０に対応し、端末識別情報２２５の「ＰＣＩＤ＃３」が第３の無線通信装置１４０に対応するものとする。
【００８１】
有効無効情報２２６には、無線通信装置におけるＭＣＩＭが有効であるか、無効（または、ＭＣＩＭを未保持）であるかを示す情報が格納される。なお、図４では、説明の容易のため、ＭＣＩＭが有効である無線通信装置には「有効」を示し、ＭＣＩＭが無効である無線通信装置には「無効」を示す。
【００８２】
このように、グループ管理データベース２２０において、ＭＣＩＭを共有する複数の無線通信装置により構成されるグループが管理される。なお、本技術の第１の実施では、同一のグループに属する無線通信装置間でＭＣＩＭの移転処理が行われることを想定する。
【００８３】
ここで、無線通信装置のグループへの登録について説明する。例えば、追加対象となる新たな無線通信装置において、追加登録操作を行うことにより、そのグループに新たな無線通信装置を追加登録することができる。この場合に、新たな無線通信装置以外の１または複数の無線通信装置（グループに登録されている）において、その追加登録の承認操作が行われたことを条件に、そのグループに新たな無線通信装置を追加登録するようにしてもよい。
【００８４】
なお、本技術の実施の形態では、説明の容易のため、複数の無線通信装置により構成されるグループについて、１つのＭＣＩＭを共有する例を示す。ただし、Ｍ個の無線通信装置により構成されるグループについて、Ｎ個のＭＣＩＭ（Ｍ＞Ｎ）を共有する場合についても同様に適用することができる。
【００８５】
なお、図４において説明したグループ情報は、情報処理装置（第１事業者）１７０からの要求に応じて、情報処理装置（第１事業者）１７０に送信される。すなわち、情報処理装置（第１事業者）１７０からの要求とともに供給されたグループＩＤ２２２およびグループパスワード２２３に関連するグループ情報が検索され、そして、その検索されたグループ情報が情報処理装置（第１事業者）１７０に送信される。なお、本技術の実施の形態では、グループ情報が情報処理装置（第１事業者）１７０に送信される例について説明するが、図３において説明したように、グループＩＤ２２２と、端末識別情報２２５とのみを送信するようにしても良い。
【００８６】
［プロファイル記憶部におけるプロファイルデータベースの構成例］
図５は、本技術の第１の実施の形態におけるプロファイル記憶部１８０に記憶されるプロファイルデータベース１８１を模式的に示す図である。
【００８７】
図５では、ユーザナンバー（顧客Ｎｏ）が「１２３４５」のユーザのプロファイルに着目して説明する。なお、図５では、顧客Ｎｏ「１２３４５」のユーザのグループ情報がグループ情報記憶部１７２にすでに記憶されていることを想定して説明する。
【００８８】
また、図５では、グループ情報に関連付けてログイン情報が保持されるサービスの数が３つの場合を想定して説明する。そして、図５では、顧客Ｎｏ「１２３４５」のユーザは、３つのサービス（Ａサービス、Ｂサービス、Ｃサービス）のうちの全てのサービスでログイン情報を登録済みであることを想定して説明する。
【００８９】
プロファイルデータベース１８１には、顧客Ｎｏ１８２と、ログインＩＤ１８３と、ログインパスワード１８４と、グループＩＤ１８５と、管理対象ログイン情報１８７とが、ユーザ単位（顧客Ｎｏ単位）で関連付けて記憶されている。これらの情報のうち、顧客Ｎｏ１８２以外は、例えば、情報処理装置（第１事業者）１７０のログインシステムにウェブサイトを介してアクセス可能な無線通信装置（例えば、ウェブブラウザを起動可能な無線通信装置）を用いたユーザからの操作により更新される。
【００９０】
顧客Ｎｏ１８２は、機器管理システムに登録したユーザごとに割り当てられるナンバーである。
【００９１】
ログインＩＤ１８３は、機器管理システムに登録したユーザが、機器管理システムにログインする際に用いられるＩＤである。
【００９２】
ログインパスワード１８４は、機器管理システムに登録したユーザが、機器管理システムにログインする際に用いられるパスワードである。
【００９３】
グループＩＤ１８５は、機器管理システムに登録したユーザの所有する無線通信装置が属するグループであって、接続権（ネットワーク接続権）を共有するグループのＩＤである。すなわち、グループＩＤ１８５は、図４のグループＩＤ２２２に対応する。
【００９４】
管理対象ログイン情報１８７は、機器管理システムにおいてアカウントを管理する対象のサービスであって、グループに属する無線通信装置が使用するサービスのログイン情報（管理対象サービスのログインＩＤおよびログインパスワード）である。グループに属する無線通信装置が使用するサービスが複数ある場合には、それぞれのサービスのログイン情報（例えば、Ａサービス、Ｂサービス、Ｃサービス）が格納される。
【００９５】
このように、プロファイル記憶部１８０には、グループＩＤ（グループの識別情報）と、このグループに属する無線通信装置が使用するサービスのログイン情報とがユーザごとに関連付けられて保持される。すなわち、本技術の第１の実施の形態では、グループＩＤと端末識別情報との間における関連を示す情報としてグループ情報をグループ情報記憶部１７２に保持する。また、グループＩＤとログイン情報との間における関連を示す情報としてプロファイルをプロファイル記憶部１８０に保持する。すなわち、情報処理装置（第1事業者）１７０において、端末識別情報とログイン情報とが関連付けられ、無線通信装置から端末識別情報が供給されると、その端末識別情報に対応するログイン情報が検出できるようになる。そして、この検出されたログイン情報は、端末識別情報を送信した無線通信装置へ送信される。なお、これらの関連を示す情報は、図４および図５において示すグループ情報およびプロファイルに限定されるものではなく、図５に示すプロファイルに端末識別情報が追加されたものをプロファイル記憶部１８０に保持させる場合も考えられる。
【００９６】
また、本技術の実施の形態では、無線通信装置のみが機器管理システムにおいて管理される例を想定するが、これに限定されるものではなく、ユーザが所有する無線通信装置以外の装置がプロファイルに登録されて様々な装置が管理される場合も考えられる。この場合においても、無線通信装置の端末識別情報とグループＩＤとが関連付けられて、また、グループＩＤとログイン情報とが関連付けられる。
【００９７】
［無線通信装置の構成例］
図６は、本技術の第１の実施の形態における第１の無線通信装置３００の内部構成例を示すブロック図である。なお、第２の無線通信装置１３０、第３の無線通信装置１４０および第４の無線通信装置１５０の内部構成については、第１の無線通信装置３００と同様であるため、ここでの説明を省略する。また、図７以降において、第２の無線通信装置１３０、第３の無線通信装置１４０および第４の無線通信装置１５０を用いて説明する場合には、第１の無線通信装置３００に対応する名称および符号を付して説明する。
【００９８】
第１の無線通信装置３００は、アンテナ３１１と、アンテナ共用部３１２と、変調部３２１と、復調部３２２と、制御部３３０と、メモリ３４０と、ＭＣＩＭ情報記憶部３５０とを備える。また、第１の無線通信装置３００は、操作部３６０と、表示部３７０と、位置情報取得部３８０と、マイクロフォン３９１と、スピーカ３９２とを備える。また、各部がバス３３１により接続される。第１の無線通信装置３００は、例えば、通話およびデータ通信が可能な携帯電話装置により実現される。
【００９９】
例えば、受信処理が行われる場合には、アンテナ３１１により受信された電波が、アンテナ共用部３１２を経由して復調部３２２により復調され、この復調された受信データが制御部３３０に供給される。その受信処理が受話処理である場合には、その復調された受信データ（音声データ）が制御部３３０を経由してスピーカ３９２から音声として出力される。
【０１００】
また、例えば、送信処理が行われる場合には、制御部３３０により出力された送信データが変調部３２１により変調され、変調された送信データがアンテナ共用部３１２を経由してアンテナ３１１から送信される。その送信処理が送話処理である場合には、マイクロフォン３９１から入力された音声データが制御部３３０を経由して変調部３２１により変調され、変調された送信データ（音声データ）がアンテナ共用部３１２を経由してアンテナ３１１から送信される。
【０１０１】
制御部３３０は、メモリ３４０に格納されている制御プログラムに基づいて各種の制御を行うものである。制御部３３０は、例えば、マイクロプロセッサにより構成される。例えば、制御部３３０は、変調部３２１および復調部３２２と接続され、基地局１２１、１２２を介して接続される通信制御装置（第２通信事業者）１２０との間で行われる各種データの送受信を行う。また、制御部３３０は、例えば、ＭＣＩＭを用いずにＰＣＩＤに基づく限定接続により無線回線を介して通信制御装置（第１通信事業者）２００と接続する接続処理を行う。
【０１０２】
メモリ３４０は、制御部３３０が各種制御を行うための制御プログラム、送信データ、受信データ等を格納するメモリである。メモリ３４０は、例えば、ＲＯＭ（Read Only Memory）やＲＡＭ（Random Access Memory）により構成される。また、メモリ３４０には、第１の無線通信装置３００を特定するための端末識別情報（ＰＣＩＤ＃１）と、第１の無線通信装置３００のデバイスネーム（例えば、図４に示すデバイスネーム２２４）とが記憶されている。このデバイスネームについては、例えば、ユーザ操作により登録される。また、メモリ３４０には、第１の無線通信装置３００が属するグループＡＢに付与されているＩＤおよびパスワード（例えば、図４に示すグループＩＤ２２２、グループパスワード２２３）が記憶されている。このグループＩＤおよびパスワードについては、例えば、グループ追加要求に応じたグループ追加認証結果に含めて、通信制御装置（第１通信事業者）２００から送信されて、メモリ３４０に記憶される。
【０１０３】
また、メモリ３４０には、各設定情報（例えば、図７に示す表示画面において設定された設定内容）が記憶されている。
【０１０４】
ＭＣＩＭ情報記憶部３５０は、ＭＣＩＭ（契約認証情報）を保持するメモリである。ＭＣＩＭ情報記憶部３５０として、例えば、ＵＩＣＣ（Universal Integrated Circuit）カードを用いるようにしてもよく、ＭＣＩＭをセキュアに保つための専用メモリを用いるようにしてもよい。なお、ＭＣＩＭ情報記憶部３５０としてＵＩＣＣカードを用いる場合には、ＭＣＩＭが固定的に書き込まれているものではなく、ＭＣＩＭの有効化処理および無効化処理が可能なものを用いる。すなわち、アンテナ３１１から受信して復調された移転情報に基づいて制御部３３０がＭＣＩＭの有効化処理および無効化処理が可能なものを用いる。また、ＭＣＩＭの書換処理が可能なものを用いる。なお、ＭＣＩＭの有効化処理および無効化処理については、３ＧＰＰ（Third Generation Partnership Project）に規定されている有効化処理および無効化処理により行うことができる。また、メモリ３４０にセキュアな領域を確保することにより、ＭＣＩＭ情報記憶部３５０をメモリ３４０内に設けるようにしてもよい。
【０１０５】
操作部３６０は、ユーザにより操作された操作入力を受け付ける操作受付部であり、受け付けられた操作入力に応じた信号を制御部３３０に出力する。操作部３６０は、数字キーやアルファベットキー等の各種キーを備える。
【０１０６】
表示部３７０は、制御部３３０の制御に基づいて、各種情報（文字情報や時刻情報等）を表示する表示部である。表示部３７０は、例えば、各種設定を行うための情報（例えば、図７に示す表示画面）を表示する。なお、表示部３７０として、例えば、有機ＥＬ（Electro Luminescence）パネル、ＬＣＤ（Liquid Crystal Display）パネル等の表示パネルを用いることができる。なお、操作部３６０および表示部３７０については、使用者がその指を表示面に接触または近接することにより操作入力を行うことが可能なタッチパネルを用いて一体で構成することができる。
【０１０７】
ここで、例えば、制御部３３０は、無線通信を利用して所定のネットワークに接続するための接続権が設定されていない無線通信装置（無線通信装置Ａ）がそのネットワークに接続して所定の通信処理を行うための所定条件を満たすかを判定する。
【０１０８】
また、制御部３３０は、所定条件を満たす場合には、接続権が設定されている無線通信装置（無線通信装置Ｂ）から無線通信装置Ａへの接続権の移転により、無線通信装置Ａに設定された接続権を用いて無線通信装置Ａが通信処理を行うための制御を行う。
【０１０９】
ここで、第２の無線通信装置１３０を想定して説明する。この場合に、上述した所定条件は、例えば、写真撮影の終了直後、内蔵メモリに記憶されている写真の容量が所定容量を超えた、電源をオフする操作がされたなどである。すなわち、第２の無線通信装置１３０の制御部３３０は、次の（１）乃至（３）の何れかのタイミングにおいて所定条件を満たすと判定する。（１）画像コンテンツが生成されたタイミング。（２）メモリ３４０に記憶されている画像コンテンツの容量が所定容量を超えたタイミング。（３）電源オフ時または電源オフ時から一定時間経過後のタイミング。
【０１１０】
また、第２の無線通信装置１３０の制御部３３０は、第２の無線通信装置１３０において所定条件を満たすと判定された場合には、無線通信装置Ｂ（例えば、第１の無線通信装置３００）から第２の無線通信装置１３０に接続権を移転するための移転要求を行う。この移転要求は、通信制御装置（第１通信事業者）２００に対して行われる。そして、第２の無線通信装置１３０の制御部３３０は、その移転要求に応じて通信制御装置（第２通信事業者）１２０により設定された接続権を用いて上述した通信処理を行うための制御を行う。
【０１１１】
具体的には、制御部３３０は、生成された画像コンテンツを記憶させるための情報処理装置（情報処理装置（第２事業者）１６０）に、その生成された画像コンテンツをアップロードするアップロード処理を通信処理として行うための制御を行う。
【０１１２】
また、上述した移転により設定された接続権を用いた通信処理（例えば、画像コンテンツのアップロード処理）が終了した場合には、移転先から移転元に接続権が移転される。
【０１１３】
位置情報取得部３８０は、第１の無線通信装置３００が存在する位置を示す位置情報を取得するものであり、この取得された位置情報を制御部３３０に出力する。位置情報取得部３８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【０１１４】
次に、情報処理装置（第１事業者）１７０のサービス（機器管理システム）へのログイン画面について説明する。
【０１１５】
［機器管理システムログイン画面の表示例］
図７は、本技術の第１の実施の形態において、機器管理システムにログインする際に無線通信装置（第１の無線通信装置３００）に表示されるログイン画面（機器管理システムログイン画面４１０）の一例を示す図である。
【０１１６】
機器管理システムログイン画面４１０には、ウェブブラウザ上に表示されたログイン画面が模式的に示されている。この機器管理システムログイン画面４１０には、説明メッセージと、機器管理システムのログインに必要なＩＤとパスワードを入力する入力フォーム（入力フォーム４１１、入力フォーム４１２）とが示されている。また、この画面には、通信制御装置（第１通信事業者）２００からグループ情報を取得するのに必要なＩＤ（グループＩＤ）とパスワード（グループパスワード）とを入力する入力フォーム（入力フォーム４１３、入力フォーム４１４）が示されている。さらに、この画面には、各入力フォームへの入力を確定してログインを開始するためのボタン（確定ボタン４１５）と、各入力フォームへの入力を取り消して画面を１つ前の表示に戻すためのボタン（戻るボタン４１６）とが示されている。
【０１１７】
機器管理システムログイン画面４１０において、入力フォーム４１１および入力フォーム４１２を入力して確定ボタン４１５を押下すると、機器管理システムへのログインが行われる。なお、ログインの際に、入力フォーム４１３および入力フォーム４１４を入力してログインを行うと、情報処理装置（第１事業者）１７０の制御部１７１は、通信制御装置（第１通信事業者）２００の通信部２０５にグループ情報要求を送信する。すなわち、入力フォーム４１３および入力フォーム４１４に入力されたグループＩＤおよびグループパスワードは、情報処理装置（第１事業者）１７０にグループ情報を登録するための要求（登録要求）に用いられる。なお、本技術の第１の実施では、グループ情報記憶部１７２に記憶されるグループ情報は、入力フォーム４１３および入力フォーム４１４を入力してログインされる度に更新される。
【０１１８】
図７に示すように、機器管理システムへのログインは、ウェブサイトを介して行われる。ウェブブラウザが必要なため、ウェブブラウザ機能を備えている通信装置はログイン可能であるが、ウェブブラウザ機能を備えていない通信装置はログイン不可能である。本技術の第１の実施の形態では、タブレットデバイスを想定している第１の無線通信装置３００と、スマートフォンを想定している第４の無線通信装置１５０とがログイン可能である。一方、デジタルスチルカメラを想定している第２の無線通信装置１３０と、携帯型ミュージックプレーヤーを想定している第３の無線通信装置１４０とは、ログイン不可能である。
【０１１９】
次に、機器管理システムへのログイン後に、機器管理システムにおいてアカウントを管理する対象のサービスを登録する画面について説明する。
【０１２０】
［機器管理システムログイン画面の表示例］
図８は、本技術の第１の実施の形態において、機器管理システムに管理対象アカウントを登録する際に第１の無線通信装置３００に表示される登録画面（管理対象アカウント登録画面４２０）の一例を示す図である。
【０１２１】
なお、図８では、３つのアカウント管理対象サービス（Ａ乃至Ｃサービス）のうちのＡサービスのログイン情報を登録する例について説明する。また、図７と同様に、ウェブブラウザ上に表示された画面を想定して説明する。
【０１２２】
管理対象アカウント登録画面４２０には、説明メッセージと、登録するサービスを選択するためのラジオボタン（ラジオボタン４２１乃至４２３）とが示されている。また、図８には、登録するサービスのログインＩＤ（アカウントＩＤ）およびログインパスワード（アカウントパスワード）の入力フォーム（入力フォーム４２４および入力フォーム４２５）が示されている。さらに、入力されたログイン情報が情報処理装置（第１事業者）１７０に保持されることへの同意を求めるチェックボタン（チェックボタン４２６）と、登録を開始するためのボタン（登録ボタン４２７）とが示されている。また、入力を取り消して画面を１つ前の表示に戻すためのボタン（戻るボタン４２８）が示されている。
【０１２３】
管理対象アカウント登録画面４２０において、ラジオボタン４２１乃至４２３で登録するサービス選択し、そのサービスのログイン情報を入力フォーム４２４および４２５に入力して登録ボタン４２７を押下すると、ログイン情報の登録が行われる。これにより、プロファイル記憶部１８０に記憶されているプロファイルのうちの入力したユーザのプロファイルの管理対象ログイン情報（図５を参照）に、入力したログイン情報が登録される。
【０１２４】
ここで、登録されたログイン情報の用途について説明する。この登録されたログイン情報は、登録したユーザのＭＣＩＭのグループに属する無線通信装置（図４および図５参照）が情報処理装置（第１事業者）１７０にログイン情報を取得するアクセスを行った場合に、その無線通信装置へ供給される。この供給されたログイン情報を受信した無線通信装置は、その供給されたログイン情報を使用してサービスにログインし、サービスの利用を開始する。
【０１２５】
ここで、供給されたログイン情報を使用してサービスにログインし、サービスの利用を開始するまでを、情報処理装置（第２事業者）１６０がＡサービス（オンラインストレージサービス）を供給する事業者であることを想定して図３を参照しながら説明する。この場合において、まず、ユーザは、Ａサービスのログイン情報を取得した後に、図７に示すログイン画面から機器管理システムにログインし、そして、図８に示す管理対象アカウント登録画面４２０においてＡサービスのログイン情報を登録する。登録後、第１の無線通信装置３００と同一のグループの無線通信装置は、Ａサービスの利用を開始する前に、Ａサービスのログイン情報を取得するために、情報処理装置（第１事業者）１７０へログイン情報の取得を要求する。
【０１２６】
要求（ログイン情報要求）を受信した情報処理装置（第１事業者）１７０は、無線通信装置が送信した端末識別情報に基づいて、要求した無線通信装置が属するグループを特定し、このグループに関連付けられているＡサービスのログイン情報を取得する。なお、このログイン情報の供給は、無線通信装置から供給される要求に含まれる端末識別情報（図４参照）およびサービスの識別情報（Ａサービスを示す情報）のみを用いて行われ、情報処理装置（第１事業者）１７０へのログインを必要としない。ログインを必要としないことにより、ウェブブラウザ機能を備えていない無線通信装置からログイン情報を取得することを可能としている。具体的には、情報処理装置（第１事業者）１７０は、ログイン情報要求を受信すると、そのログイン情報要求を発信した無線通信装置の端末識別情報を用いて、そのログイン情報要求を発信した無線通信装置が属するグループを検索する。すなわち、グループ情報記憶部１７２に保持されているグループ管理データベースから、ログイン情報要求を発信した無線通信装置の端末識別情報が関連付けられているグループが検出される。そして、その検出されたグループのグループＩＤを用いて、プロファイル記憶部１８０に保持されているプロファイルのうちからそのグループＩＤが関連付けられているプロファイルが検出される。その後、検出されたプロファイルに関連付けられているＡサービスのログイン情報が、ログイン情報要求を発信した無線通信装置へ送信される。
【０１２７】
なお、図８では、Ａ乃至Ｃサービスの３つを想定して、ラジオボタンによるサービスの選択としたが、これに限定されるものではなく、サービスごとの登録画面の場合や、ブルダウンメニューである場合も考えられる。
【０１２８】
［情報処理装置（第１事業者）によるグループ情報の取得例］
図９は、本技術の第１の実施の形態において、情報処理装置（第１事業者）１７０が通信制御装置（第１通信事業者）２００からグループ情報を取得する際の流れを簡略化して示す図である。
【０１２９】
図９（ａ）では、第１の無線通信装置３００のユーザが、情報処理装置（第１事業者）１７０のサービス（機器管理システム）のログイン情報（ＩＤおよびパスワード）にグループＩＤおよびグループパスワードを加えてログインを行っている状態を示す。また、図９（ｂ）では、ログイン情報（ＩＤおよびパスワード）に加えて入力されたグループＩＤおよびグループパスワードが通信制御装置（第１通信事業者）２００に供給され、グループ情報が通信制御装置（第１通信事業者）２００から供給されている状態を示す。そして、図９（ｃ）では、通信制御装置（第１通信事業者）２００から取得されたグループ情報が、情報処理装置（第１事業者）１７０のグループ情報記憶部１７２に記憶される状態を示す。
【０１３０】
図９（ａ）に示すように、ログインの際（図７参照）に、グループＩＤおよびグループパスワードを入力してログインを行うと、情報処理装置（第１事業者）１７０は、通信制御装置（第１通信事業者）２００からグループ情報を取得する動作を行う。
【０１３１】
そして、図９（ｂ）に示すように、情報処理装置（第１事業者）１７０は、ログインの際に入力されたグループＩＤおよびグループパスワードを含むグループ情報要求を通信制御装置（第１通信事業者）２００に送信する。このグループ情報要求を受信した通信制御装置（第１通信事業者）２００は、グループ情報要求に含まれているグループＩＤおよびグループパスワードにより特定されるグループ情報をグループ管理データベース２２０から取得する。すなわち、通信制御装置（第１通信事業者）２００では、グループ情報要求に含まれているグループＩＤおよびグループパスワードに基づいてグループ情報の検索が行われ、グループＩＤおよびグループパスワードが完全に一致するグループ情報が検出される。通信制御装置（第１通信事業者）２００は、検出したグループ情報を、情報処理装置（第１事業者）１７０へ送信する。
【０１３２】
その後、図９（ｃ）に示すように、情報処理装置（第１事業者）１７０は、通信制御装置（第１通信事業者）２００から供給されたグループ情報を、グループ情報記憶部１７２に記憶する。なお、そのグループのグループ情報が既に記憶されている場合には、その記憶されているグループ情報が更新される。
【０１３３】
［情報処理装置（第１事業者）における管理対象サービスのログイン情報の登録例］
図１０は、本技術の第１の実施の形態において、管理対象のサービスのログイン情報を、第１の無線通信装置３００を介して登録する際の流れを簡略化して示す図である。
【０１３４】
図１０（ａ）では、機器管理システムの管理対象のサービスのログイン情報を第１の無線通信装置３００のユーザが取得している状態を示す。また、図１０（ｂ）では、第１の無線通信装置３００のユーザが、情報処理装置（第１事業者）１７０にログイン情報を登録している状態を示す。そして、図１０（ｃ）では、情報処理装置（第１事業者）１７０において、第１の無線通信装置３００のユーザのプロファイルにログイン情報が登録された状態を示す。
【０１３５】
図１０（ａ）に示すように、第１の無線通信装置３００のユーザは、情報処理装置（第２事業者）１６０のサービスを利用したい場合には、情報処理装置（第２事業者）１６０に対してユーザ登録を行う。そして、第１の無線通信装置３００のユーザは、情報処理装置（第２事業者）１６０のサービスのログイン情報（ログインＩＤおよびログインパスワード）を取得する。なお、このユーザ登録は、ウェブサイト上でのみ受け付けられていることを想定する。すなわち、ウェブブラウザを備えている第１の無線通信装置３００および第４の無線通信装置１５０はログイン情報を取得可能だが、第２の無線通信装置１３０および第４の無線通信装置１４０はログイン情報を取得できない。
【０１３６】
そして、図１０（ｂ）に示すように、第１の無線通信装置３００のユーザは、取得したログイン情報を情報処理装置（第１事業者）１７０に送信する。
【０１３７】
そして、図１０（ｃ）の太枠（枠１８９）に示すように、情報処理装置（第１事業者）１７０に送信されたログイン情報が、第１の無線通信装置３００のユーザのプロファイルに登録される。すなわち、第１の無線通信装置３００の属するグループと、情報処理装置（第２事業者）１６０のログイン情報とが関連付けられる。
【０１３８】
［情報処理装置（第２事業者）のサービスの利用例］
図１１は、本技術の第１の実施の形態において、第２の無線通信装置１３０を用いて情報処理装置（第２事業者）１６０のサービスを利用する際の流れを簡略化して示す図である。
【０１３９】
図１１（ａ）では、情報処理装置（第１事業者）１７０が保持するログイン情報を第２の無線通信装置１３０が取得している状態を示す。また、図１１（ｂ）では、情報処理装置（第２事業者）１６０のサービス（オンラインストレージサービス）に、取得したログイン情報を用いて第２の無線通信装置１３０がログインしている状態を示す。そして、図１１（ｃ）では、情報処理装置（第２事業者）１６０のコンテンツ記憶部１６１に、第２の無線通信装置１３０が撮像した画像をアップロードしている状態を示す。
【０１４０】
図１１（ａ）に示すように、第２の無線通信装置１３０を用いて情報処理装置（第２事業者）１６０のサービスを利用する際には、このサービスのログイン情報を取得する要求（ログイン情報要求）を情報処理装置（第１事業者）１７０に送信する。そして、情報処理装置（第１事業者）１７０は、ログイン情報要求に含まれている端末識別情報に基づいて、グループ情報記憶部１７２に保持されているグループ情報のうちから第２の無線通信装置１３０が属するグループのグループ情報を検出する。このグループ情報が検出されると、情報処理装置（第１事業者）１７０は、プロファイル記憶部１８０に記憶されているプロファイルのうちから、検出されたグループ（グループＩＤ）が関連付けられているプロファイルを検出する。そして、情報処理装置（第１事業者）１７０は、検出されたプロファイルにおける情報処理装置（第２事業者）１６０のサービスのログイン情報を取得して、この取得したログイン情報を第２の無線通信装置１３０へ送信する。
【０１４１】
そして、図１１（ｂ）に示すように、ログイン情報を取得した第２の無線通信装置１３０は、情報処理装置（第２事業者）１６０のサービス（オンラインストレージサービス）へ取得したログイン情報を用いてログインする。
【０１４２】
その後、図１１（ｃ）に示すように、第２の無線通信装置１３０は、撮像した写真（画像コンテンツ１３３）を情報処理装置（第２事業者）１６０へ送信し、情報処理装置（第２事業者）１６０のコンテンツ記憶部１６１に記憶させる。
【０１４３】
このように、情報処理装置（第１事業者）において、グループ情報と、このグループに属する無線通信装置の端末識別情報と、ログイン情報とを関連付けておくことにより、このグループに属する無線通信装置にログイン情報を供給することができる。なお、ログイン情報の供給の判定において、ＭＣＩＭの設定において用いられる端末識別情報（ＰＣＩＤ）を用いるため、ログイン情報の供給における安全性（セキュリティ）を高くすることができる（ＰＣＩＤの偽造が困難なため）。
【０１４４】
また、グループに属する複数の無線通信装置とログイン情報とが１度で関連付けられるため、無線通信装置を個々に登録する必要が無く、登録を容易に行うことができる。
【０１４５】
［ログイン情報を登録する場合における通信例］  
図１２および図１３は、本技術の第１の実施の形態における通信システム１００を構成する各装置間において、プロファイルにログイン情報を登録する際に行われる通信処理の一例を示すシーケンスチャートである。
【０１４６】
なお、図１２および図１３では、説明の便宜上、情報処理装置（第１事業者）１７０のサービス（機器管理システム）にログインした状態で、情報処理装置（第２事業者）１６０のサービス（オンラインストレージサービス）に新規登録する一例を説明する。この一例は、例えば、オンラインストレージサービスと機器管理システムとが提携関係にあり、機器管理システムにログインしたままオンラインストレージサービスに新規登録すると、個人情報が引き継がれて入力操作が省かれる場合を想定したものである。
【０１４７】
なお、図１２および図１３では、第１の無線通信装置３００に有効なＭＣＩＭが保持されていることを想定して説明する。また、図１２乃至図１３では、第２の無線通信装置１３０、第３の無線通信装置１４０および第４の無線通信装置１５０の図示を省略する。
【０１４８】
まず、通信制御装置（第２通信事業者）１２０と第１の無線通信装置３００とが接続状態（５０１）とされている。最初に、第１の無線通信装置３００において、機器管理システムのログインサイトへのアクセスが行われ、機器管理システムへのログイン操作が行われる（５０２）。このログイン操作では、例えば、図７の機器管理システムログイン画面４１０のようなサイトが表示され、機器管理システムのログインＩＤと、機器管理システムのログインパスワードと、グループＩＤと、グループパスワードとの送信が求められる。
【０１４９】
そして、各入力フォームに入力して確定する（確定ボタン４１５を押下する）と、その各入力値を含む要求（機器管理システムログイン要求）が、第１の無線通信装置３００から情報処理装置（第１事業者）１７０へ送信される（５０３乃至５０６）。ここで、機器管理システムログイン要求は、第１の無線通信装置３００のユーザが機器管理システムを利用するために必要なログインを行うための要求である。機器管理システムログイン要求には、機器管理システムのログインＩＤと、機器管理システムのログインパスワードと、グループＩＤと、グループパスワードとが含まれる。すなわち、図７の入力フォーム４１１乃至４１４の入力内容が含まれる。なお、上述したように、第１の無線通信装置３００は、通信制御装置（第２通信事業者）１２０と接続状態（５０１）とされている。このため、機器管理システムログイン要求は、通信制御装置（第２通信事業者）１２０を介して送信される（５０３乃至５０６）。
【０１５０】
そして、機器管理システムログイン要求を情報処理装置（第１事業者）１７０が受信すると（５０６）、情報処理装置（第１事業者）１７０の制御部１７１は、グループ情報要求を通信制御装置（第１通信事業者）２００へ送信する（５０７、５０８）。なお、このグループ情報要求は、機器管理システムログイン要求に含まれているグループＩＤおよびグループパスワードにより特定されるグループ情報を取得するための要求である。グループ情報要求には、少なくとも、機器管理システムログイン要求に含まれているグループＩＤおよびグループパスワードが含まれる。
【０１５１】
グループ情報要求を通信制御装置（第１通信事業者）２００が受信すると（５０８）、通信制御装置（第１通信事業者）２００の制御部２１０は、特定されるグループ情報をグループ管理データベース２２０から取得する。そして、通信制御装置（第１通信事業者）２００の制御部２１０は、取得したグループ情報を情報処理装置（第１事業者）１７０へ送信する（５０９、５１０）。
【０１５２】
そして、グループ情報を情報処理装置（第１事業者）１７０が受信すると（５１０）、情報処理装置（第１事業者）１７０の制御部１７１は、受信したグループ情報をグループ情報記憶部１７２に記憶させる（５１１）。その後、情報処理装置（第１事業者）１７０の制御部１７１は、ログインが正常に完了して機器管理システムを利用可能であることの通知（サービス開始通知）を、第１の無線通信装置３００へ送信する（５１２乃至５１５）
【０１５３】
その後、第１の無線通信装置３００では、情報処理装置（第２事業者）１６０のサービス（オンラインストレージサービス）への新規登録の設定操作が行われる（５１６）。そして、新規登録に必要な各種の個人情報（新規登録設定情報）が、情報処理装置（第２事業者）１６０へ送信される（５１７乃至５２０）。新規登録設定情報を情報処理装置（第２事業者）１６０が受信すると（５２０）、情報処理装置（第２事業者）１６０は、第１の無線通信装置３００のユーザを新規登録する処理を行う（５２１）。
【０１５４】
そして、情報処理装置（第２事業者）１６０は、新規登録により発行されたログイン情報を、第１の無線通信装置３００へ送信する（５２２乃至５２５）。なお、ログイン情報には、少なくとも、情報処理装置（第２事業者）１６０のサービスにログインするために必要なＩＤ（ログインＩＤ）とパスワード（ログインパスワード）とが含まれる。
【０１５５】
その後、第１の無線通信装置３００において、機器管理システムにおけるアカウントの管理対象サービスを登録するサイトへのアクセスが行われ、管理対象アカウントの設定操作が行われる（５２６）。この管理対象アカウント設定操作では、例えば、図８の管理対象アカウント登録画面４２０のようなサイトが表示される。管理対象アカウント設定操作では、アカウントを管理する対象のサービスと、そのサービスのログインＩＤ（アカウントＩＤ）と、ログインパスワード（アカウントパスワード）との送信が求められる。
【０１５６】
そして、管理対象アカウント登録画面４２０の各入力フォームに入力して確定する（登録ボタン４２７を押下する）と、その各入力値を含む情報（管理対象アカウント設定情報）が、情報処理装置（第１事業者）１７０へ送信される（５２７乃至５３０）。ここで、管理対象アカウント設定情報は、第１の無線通信装置３００のユーザが、機器管理システムに管理させるアカウント情報を、情報処理装置（第１事業者）１７０に送信するための情報である。この管理対象アカウント設定情報には、少なくとも、サービスを識別する情報と、そのサービスのログインＩＤと、そのサービスのログインパスワードとが含まれる。すなわち、図８のラジオボタン４２１乃至４２３における選択内容を示す情報と、入力フォーム４２４の入力内容と、入力フォーム４２５の入力内容とが少なくとも含まれる。
【０１５７】
そして、管理対象アカウント設定情報が情報処理装置（第１事業者）１７０に受信されると（５３０）、情報処理装置（第１事業者）１７０の制御部１７１は、プロファイル記憶部１８０のプロファイルデータベースを更新する（５３１）。この更新では、プロファイル記憶部１８０に記憶されているプロファイルのうちの登録対象ユーザのプロファイルに、管理対象アカウント設定情報が示すログイン情報が登録される。この更新により、情報処理装置（第1事業者１７０）において、端末識別情報とログイン情報とが関連付けられ、無線通信装置から端末識別情報が供給されると、その端末識別情報に対応するログイン情報が供給できるようになる。
【０１５８】
次に、情報処理装置（第１事業者）１７０に登録されたログイン情報を用いて情報処理装置（第２事業者）１６０のサービスを利用する際の通信処理について、図１４および図１５を参照して説明する。
【０１５９】
［ログイン情報を利用する場合における通信例］
図１４および図１５は、本技術の第１の実施の形態における通信システム１００を構成する各装置間において、ログイン情報を取得してサービスを利用する際に行われる通信処理の一例を示すシーケンスチャートである。
【０１６０】
なお、図１４および図１５では、第２の無線通信装置１３０から情報処理装置（第２事業者）１６０のサービスを利用する例について説明する。なお、図１４および図１５では、図１２および図１３と同様に、第１の無線通信装置３００に有効なＭＣＩＭが保持されていることを想定して説明する。すなわち、第１の無線通信装置３００に保持されているＭＣＩＭ（有効なＭＣＩＭ）が第２の無線通信装置１３０に移転され、この移転後にサービスの利用が行われることを想定して説明する。なお、図１４乃至図１５では、第１の無線通信装置３００、第３の無線通信装置１４０および第４の無線通信装置１５０の図示を省略する。
【０１６１】
まず、通信制御装置（第１通信事業者）２００と第２の無線通信装置１３０とが接続状態（５５１）とされている。最初に、第２の無線通信装置１３０において、写真の撮像動作が行われる（５５２）。そして、情報処理装置（第２事業者）１６０のサービス（オンラインストレージサービス）の利用が必要だと判断されると、通信機能を利用するために、ＭＣＩＭの移転処理が行われる（６００）。なお、このＭＣＩＭ移転処理の詳細については、図１６を参照して説明するため、ここでの説明を省略する。また、オンラインストレージサービスの利用が必要だと判断される条件については、種々の条件が考えられる。例えば、第２の無線通信装置１３０のデータ保持部における空き容量が少なくなった場合、写真を撮像するごとの場合、ユーザが指示操作を行った場合などが想定される。
【０１６２】
そして、ＭＣＩＭ移転処理（６００）の後に、通信制御装置（第２通信事業者）１２０と第２の無線通信装置１３０とが接続状態（５５４）とされる。その後、オンラインストレージサービスのログイン情報を情報処理装置（第１事業者）１７０から取得するための要求（ログイン情報要求）が、第２の無線通信装置１３０から情報処理装置（第１事業者）１７０へ送信される（５５５乃至５５８）。なお、ログイン情報要求には、少なくとも、アカウントを要求するサービスを識別するための情報（オンラインストレージサービスを示す情報）と、第２の無線通信装置１３０の端末識別情報とが含まれる。なお、上述したように、第２の無線通信装置１３０は、通信制御装置（第２通信事業者）１２０と接続状態（５５４）とされている。このため、ログイン情報要求は、通信制御装置（第２通信事業者）１２０を介して送信される（５５５乃至５５８）。
【０１６３】
そして、ログイン情報要求が情報処理装置（第１事業者）１７０に受信されると（５５８）、ログイン情報要求に含まれている端末識別情報に基づいて、第２の無線通信装置１３０が属するグループが検出される（５５９）。このグループの検出は、情報処理装置（第１事業者）１７０のグループ情報記憶部１７２に保持されているグループ情報のうちから、ログイン情報要求の端末識別情報と同じ端末識別情報が関連付けられているグループ情報が検索されることにより行われる。
【０１６４】
次に、情報処理装置（第１事業者）１７０では、検出されたグループの識別情報（グループＩＤ）に基づいて、プロファイル記憶部１８０に記録されているプロファイルのうちから、第２の無線通信装置１３０のユーザのプロファイルが検出される（５６０）。そして、情報処理装置（第１事業者）１７０の制御部１７１は、その検出されたプロファイルに登録されているオンラインストレージサービスのログイン情報を取得する（５６１）。
【０１６５】
そして、情報処理装置（第１事業者）１７０の制御部１７１は、取得したログイン情報を、第２の無線通信装置１３０に送信する（５６２乃至５６５）。
【０１６６】
ログイン情報が第２の無線通信装置１３０に受信されると（５６５）、第２の無線通信装置１３０の制御部は、オンラインストレージサービスのログイン情報を情報処理装置（第２事業者）１６０へ送信する（５６６乃至５６９）。このログイン情報には、ログイン情報に含まれていたログインＩＤおよびログインパスワードが含まれる。
【０１６７】
その後、ログイン情報が情報処理装置（第２事業者）１６０に受信されると（５６９）、情報処理装置（第２事業者）１６０のサービス（オンラインストレージサービス）へのログイン処理が行われる（５７０）。次に、ログインが完了したことの通知（ログイン完了通知）が、情報処理装置（第２事業者）１６０から第２の無線通信装置１３０へ送信される（５７１乃至５７４）。
【０１６８】
そして、ログイン完了通知が第２の無線通信装置１３０に受信されると（５７４）、写真（データ）のアップロード処理が行われ、情報処理装置（第２事業者）１６０のコンテンツ記憶部１６１に写真がアップロードされる（５７５）。
【０１６９】
その後、通信処理が終了された後に（５７６）、第２の無線通信装置１３０から第１の無線通信装置３００にＭＣＩＭが移転される（５７７）。なお、このＭＣＩＭ移転処理（５７７）は、図１４において示したＭＣＩＭ移転処理（６００）と略同様であるため、説明を省略する。
【０１７０】
そして、ＭＣＩＭ移転処理（５７７）の後に、通信制御装置（第２通信事業者）１２０と第１の無線通信装置３００とが接続状態（５７８）とされる。
【０１７１】
次に、ＭＣＩＭ移転処理（６００）の通信処理について図１６を参照して説明する。
【０１７２】
［ＭＣＩＭを移転する場合における通信例］
図１６は、本技術の第１の実施の形態における通信システム１００を構成する各装置間において、ＭＣＩＭを移転する際に行われる通信処理の一例を示すシーケンスチャートである。
【０１７３】
なお、図１６では、第３の無線通信装置１４０、第４の無線通信装置１５０、情報処理装置（第１事業者）１７０および情報処理装置（第２事業者）１６０の図示を省略する。
【０１７４】
ＭＣＩＭ移転処理６００では、まず、第２の無線通信装置１３０がＭＣＩＭの移転要求を通信制御装置（第２通信事業者）１２０へ送信する（６０１乃至６０４）。なお、上述したように、第２の無線通信装置１３０は、通信制御装置（第１通信事業者）２００と接続状態（図１４の５５１参照）とされている。このため、ＭＣＩＭの移転要求は、通信制御装置（第１通信事業者）２００を介して送信される（６０１乃至６０４）。
【０１７５】
そして、通信制御装置（第２通信事業者）１２０がＭＣＩＭの移転要求を受信すると（６０４）、通信制御装置（第２通信事業者）１２０の制御部１２５は、ＭＣＩＭの無効化情報を第１の無線通信装置３００に送信する（６０５、６０６）。このＭＣＩＭの無効化情報は、有効なＭＣＩＭが保持されている無線通信装置におけるそのＭＣＩＭを無効化するための情報である。この場合には、第１の無線通信装置３００が通信制御装置（第２通信事業者）１２０と接続状態とされている。このため、ＭＣＩＭの無効化情報は、通信制御装置（第２通信事業者）１２０から第１の無線通信装置３００に直接送信される（６０５、６０６）。
【０１７６】
ＭＣＩＭの無効化情報を第１の無線通信装置３００が受信すると（６０６）、第１の無線通信装置３００のＭＣＩＭ情報記憶部３５０に記憶されているＭＣＩＭの無効化処理が行われる（６０７）。これにより、第１の無線通信装置３００に保持されているＭＣＩＭが無効化されるため、第１の無線通信装置３００は、通信制御装置（第２通信事業者）１２０とのＭＣＩＭに基づく接続を行うことができなくなる。このため、第１の無線通信装置３００は、ＰＣＩＤに基づく限定接続により通信制御装置（第１通信事業者）２００と接続する接続状態となる（６０８）。
【０１７７】
このように、移転元（第１の無線通信装置３００）におけるＭＣＩＭの無効化処理が行われ（６０７）、移転元および通信制御装置（第２通信事業者）１２０の接続が切断されると、この切断を通信制御装置（第１通信事業者）２００の制御部２１０が検出する。例えば、ＭＣＩＭの無効化処理が行われた後に、その旨を移転元（第１の無線通信装置３００）から通信制御装置（第１通信事業者）２００に送信することにより、その切断を制御部２１０が検出することができる。また、ＰＣＩＤに基づく限定接続により移転元（第１の無線通信装置３００）が通信制御装置（第１通信事業者）２００と接続する状態（接続状態）となったことを制御部２１０が検出することにより、その切断を制御部２１０が検出することができる。
【０１７８】
このように、移転元および通信制御装置（第２通信事業者）１２０の切断を通信制御装置（第１通信事業者）２００の制御部２１０が検出すると、制御部２１０は、ＭＣＩＭの状態情報を通信制御装置（第２通信事業者）１２０に送信する（６０９、６１０）。このＭＣＩＭの状態情報は、有効なＭＣＩＭがどの無線通信装置にも設定されていないことを示す情報である。
【０１７９】
ＭＣＩＭの状態情報を通信制御装置（第２通信事業者）１２０が受信すると（６１０）、通信制御装置（第２通信事業者）１２０の制御部１２５は、ＭＣＩＭの設定情報を第２の無線通信装置１３０に送信する（６１１乃至６１４）。このＭＣＩＭの設定情報は、無線通信装置に有効なＭＣＩＭを設定するための情報である。
【０１８０】
ＭＣＩＭの設定情報を第２の無線通信装置１３０が受信すると（６１４）、第２の無線通信装置１３０のＭＣＩＭ情報記憶部３５０にＭＣＩＭの設定処理（例えば、有効化処理）が行われる（６１５）。これにより、第２の無線通信装置１３０に有効なＭＣＩＭが設定されるため、第２の無線通信装置１３０は、ＭＣＩＭに基づく通信制御装置（第２通信事業者）１２０との接続を行うことができる（６１６）。すなわち、第２の無線通信装置１３０は、ＭＣＩＭに基づく接続により通信制御装置（第２通信事業者）１２０と接続する接続状態となる（６１６）。
【０１８１】
このように、第２の無線通信装置１３０が通信制御装置（第２通信事業者）１２０と接続状態となった場合に（６１６）、通信制御装置（第２通信制御装置）１２０が、移転完了通知を、通信制御装置（第１通信制御装置）２００に送信する（６１７、６１８）。この移転完了通知は、ＭＣＩＭの移転処理が完了した旨の通知である。そして、移転完了通知を通信制御装置（第１通信制御装置）２００が受信すると（６１８）、通信制御装置（第１通信制御装置）２００の制御部２１０は、グループ管理データベース２２０（図３に示す）の内容を更新する（６１９）。例えば、図４に示す有効無効情報２２６について、第１の無線通信装置３００（端末識別情報２２５「ＰＣＩＤ＃１」）が「有効」から「無効」に変更される。一方、第２の無線通信装置１３０（端末識別情報２２５「ＰＣＩＤ＃２」）が「無効」から「有効」に変更される。
【０１８２】
［通信システムの動作例］
次に、本技術の第１の実施の形態における通信システム１００の動作について図面を参照して説明する。
【０１８３】
図１７および図１８では、第１の無線通信装置３００が管理対象サービスのログイン情報を設定する際における第１の無線通信装置３００および情報処理装置（第１事業者）１７０の通信処理の処理手順について説明する。
【０１８４】
また、図１９および図２０では、第２の無線通信装置１３０がデータをアップロードする際における第２の無線通信装置１３０および情報処理装置（第１事業者）１７０の通信処理の処理手順について説明する。
【０１８５】
［管理対象サービスを設定する無線通信装置の動作例］  
図１７は、本技術の第１の実施の形態において、管理対象サービスのログイン情報を設定する際の第１の無線通信装置３００の通信処理の処理手順の一例を示すフローチャートである。なお、図１７では、図１２および図１３と同様に、情報処理装置（第１事業者）１７０のサービス（機器管理システム）にログインした後に、情報処理装置（第２事業者）１６０のサービス（オンラインストレージサービス）に新規登録する一例を説明する。
【０１８６】
まず、機器管理システムへのログイン操作がされたか否かが、第１の無線通信装置３００の制御部３３０により判断される（ステップＳ９０１）。そして、機器管理システムへのログイン操作が行われていないと判断された場合には（ステップＳ９０１）、ログイン操作が行われるまで待機する。
【０１８７】
一方、機器管理システムへのログイン操作が行われたと判断された場合には（ステップＳ９０１）、機器管理システムログイン要求が情報処理装置（第１事業者）１７０へ送信される（ステップＳ９０２）。その後、制御部３３０は、サービス開始通知を受信したか否かを判断する（ステップＳ９０３）。そして、情報処理装置（第１事業者）１７０が送信したサービス開始通知を受信していないと判断した場合には（ステップＳ９０３）、サービス開始通知を受信するまで待機する。
【０１８８】
また、サービス開始通知を受信したと判断した場合には（ステップＳ９０３）、制御部３３０は、オンラインストレージサービスへの新規登録の設定操作がされたか否かを判断する（ステップＳ９０４）。そして、オンラインストレージサービスへの新規登録の設定操作がされていないと判断された場合には（ステップＳ９０４）、通信処理の動作を終了する。
【０１８９】
一方、オンラインストレージサービスへの新規登録の設定操作がされたと判断された場合には（ステップＳ９０４）、オンラインストレージサービスの新規登録設定情報が、情報処理装置（第２事業者）１６０へ送信される（ステップＳ９０５）。その後、制御部３３０は、ログイン情報を受信したか否かを判断する（ステップＳ９０６）。そして、ログイン情報を受信していないと判断された場合には（ステップＳ９０６）、ログイン情報を受信するまで待機する。
【０１９０】
また、ログイン情報を受信したと判断された場合には（ステップＳ９０６）、管理対象アカウントの設定操作が行われる（ステップＳ９０７）。そして、制御部３３０は、管理対象アカウント設定情報を情報処理装置（第１事業者）１７０へ送信し、（ステップＳ９０８）、通信処理の動作を終了する。
【０１９１】
［管理対象サービスが設定される際の情報処理装置（第１事業者）の動作例］
図１８は、本技術の第１の実施の形態において、管理対象サービスが設定される際の情報処理装置（第１事業者）１７０の通信処理の処理手順の一例を示すフローチャートである。
【０１９２】
まず、情報処理装置（第１事業者）１７０の制御部１７１は、機器管理システムログイン要求を受信したか否かを判断する（ステップＳ９１１）。そして、機器管理システムログイン要求を受信していないと判断された場合には（ステップＳ９１１）、機器管理システムログイン要求を受信するまで待機する。
【０１９３】
一方、機器管理システムログイン要求を受信したと判断された場合には（ステップＳ９１１）、制御部１７１は、その機器管理システムログイン要求にグループＩＤおよびグループパスワードが含まれているか否かを判断する（ステップＳ９１２）。そして、グループＩＤおよびグループパスワードが含まれていないと判断された場合には（ステップＳ９１２）、グループ情報を参照しないサービスを提供し（ステップＳ９１３）、通信処理の動作を終了する。
【０１９４】
また、グループＩＤおよびグループパスワードが含まれていると判断された場合には（ステップＳ９１２）、制御部１７１は、グループＩＤおよびグループパスワードを含むグループ情報要求を通信制御装置（第１通信事業者）２００へ送信する（ステップＳ９１４）。その後、通信制御装置（第１通信事業者）２００が送信したグループ情報を受信したか否かが制御部１７１により判断される（ステップＳ９１５）。そして、グループ情報を受信していないと判断された場合には（ステップＳ９１５）、グループ情報を受信するまで待機する。
【０１９５】
一方、グループ情報を受信したと判断された場合には（ステップＳ９１５）、制御部１７１は、第１の無線通信装置３００が送信した管理対象アカウント設定情報を受信したか否かが判断される（ステップＳ９１６）。そして、管理対象アカウント設定情報が受信されていないと判断された場合には（ステップＳ９１６）、管理対象アカウント設定情報を受信するまで待機する。
【０１９６】
また、管理対象アカウント設定情報が受信されたと判断された場合には（ステップＳ９１６）、制御部１７１は、プロファイル記憶部１８０のプロファイルデータベースを更新し（ステップＳ９１７）、通信処理の動作を終了する。
【０１９７】
［データをアップロードする際の第２の無線通信装置の動作例］
図１９は、本技術の第１の実施の形態において、第２の無線通信装置１３０がデータ（写真）をアップロードする際の第２の無線通信装置１３０の通信処理の処理手順の一例を示すフローチャートである。
【０１９８】
なお、図１９では、アップロードデータ（写真）を情報処理装置（第２事業者）１６０に送信するまでの処理手順について説明する。
【０１９９】
まず、第２の無線通信装置１３０の制御部は、データのアップロードの条件（オンラインストレージサービスの利用が必要だと判断される条件）を満たしているか否かを判断する（ステップＳ９２１）。このステップＳ９２１では、例えば、第２の無線通信装置１３０のデータ保持部における空き容量が条件として設定されている場合には、空き容量が所定の量より少なくなった場合には、条件を満たしていると判断される。そして、データのアップロードの条件を満たしていないと判断された場合には（ステップＳ９２１）、条件を満たすまで待機する。
【０２００】
一方、データのアップロードの条件を満たしていると判断された場合には（ステップＳ９２１）、第２の無線通信装置１３０に有効なＭＣＩＭが設定されているか否かが制御部により判断される（ステップＳ９２２）。そして、有効なＭＣＩＭが設定されていないと判断された場合には（ステップＳ９２２）、同一グループ内の有効なＭＣＩＭが設定されている無線津新装置からＭＣＩＭを移転するＭＣＩＭ移転処理が行われた後に（ステップＳ９２３）、ステップＳ９２４へ進む。
【０２０１】
また、有効なＭＣＩＭが設定されていると判断された場合には（ステップＳ９２２）、制御部は、オンラインストレージサービスのログイン情報を取得するためのログイン情報要求を情報処理装置（第１事業者）１７０へ送信する（ステップＳ９２４）。続いて、オンラインストレージサービスのログイン情報を受信したか否かが第２の無線通信装置１３０の制御部により判断される（ステップＳ９２５）。そして、ログイン情報を受信していないと判断された場合には（ステップＳ９２５）、ログイン情報を受信するまで待機する。
【０２０２】
一方、ログイン情報を受信したと判断された場合には（ステップＳ９２５）、第２の無線通信装置１３０の制御部は、オンラインストレージサービスのログイン情報を情報処理装置（第２事業者）１６０へ送信する（ステップＳ９２６）。その後、情報処理装置（第２事業者）１６０が送信したログイン完了通知を受信したか否かが、第２の無線通信装置１３０の制御部により判断される（ステップＳ９２７）。そして、ログイン完了通知を受信していないと判断された場合には（ステップＳ９２７）、ログイン完了通知を受信するまで待機する。
【０２０３】
また、ログイン完了通知を受信したと判断された場合には（ステップＳ９２７）、第２の無線通信装置１３０の制御部は、アップロードデータ（写真）を情報処理装置（第２事業者）１６０へ送信し（ステップＳ９２８）、通信処理の動作を終了する。
【０２０４】
［データがアップロードされる際の情報処理装置（第１事業者）の動作例］
図２０は、本技術の第１の実施の形態において、データ（写真）がアップロードされる際の情報処理装置（第１事業者）１７０の通信処理の処理手順の一例を示すフローチャートである。
【０２０５】
なお、図２０では、ログイン情報要求を受信してからログイン情報を送信するまでの通信処理の処理手順について説明する。
【０２０６】
まず、第２の無線通信装置１３０が送信したログイン情報要求を受信したか否かが、情報処理装置（第１事業者）１７０の制御部１７１により判断される（ステップＳ９３１）。そして、ログイン情報要求を受信していないと判断された場合には（ステップＳ９３１）、ログイン情報要求を受信するまで待機する。
【０２０７】
一方、ログイン情報要求を受信したと判断された場合には（ステップＳ９３１）、制御部１７１は、ログイン情報要求に含まれている端末識別情報に基づいて、第２の無線通信装置１３０が属するグループ（グループ情報）を検出する（ステップＳ９３２）。そして、制御部１７１は、検出されたグループの識別情報（グループＩＤ）に基づいて、プロファイル記憶部１８０に記憶されているプロファイルのうちから第２の無線通信装置１３０のユーザのプロファイルを検出する（ステップＳ９３３）。続いて、制御部１７１は、その検出されたプロファイルに登録されているオンラインストレージサービスのログイン情報を取得する（ステップＳ９３４）。
【０２０８】
そして、情報処理装置（第１事業者）１７０の制御部１７１は、取得したログイン情報を第２の無線通信装置１３０に送信し（ステップＳ９３５）、通信処理の動作を終了する。
【０２０９】
このように、本技術の第１の実施の形態によれば、通信制御装置（第１通信事業者）からＭＣＩＭのグループ情報を取得することにより、複数の無線通信装置の識別情報（ＰＣＩＤ）と、通信サービスのログイン情報とを容易に関連付けることができる。これにより、同一のグループに属する複数の無線通信装置にログイン情報をまとめて設定できるため、ログイン情報を設定する際の手間を減少させることができ、ログインを必要とする通信サービスを無線通信装置に容易に利用させることができる。また、この関連付けたログイン情報を無線通信装置に容易に供給できるため、ログインを必要とする通信サービスを無線通信装置に容易に利用させることができる。
【０２１０】
また、ログイン情報を無線通信装置に供給する際に、セキュリティのレベルが高い接続であるＲＯとの接続において用いられるＰＣＩＤを用いて無線通信装置を識別するため、機器管理システムのセキュリティを強化することができる。
【０２１１】
＜２．第２の実施の形態＞
本技術の第１の実施の形態では、情報処理装置（第１事業者）１７０のサービス（機器管理システム）へのログイン時に情報処理装置（第１事業者）１７０のグループ情報記憶部１７２に保持するグループ情報を取得する例について説明した。すなわち、本技術の第１の実施の形態では、同一のグループに属する無線通信装置のリストを情報処理装置（第１事業者）１７０に保持させる例を説明した。この例では、ログイン情報要求を受信した場合にグループ情報記憶部１７２に保持されているグループ情報（同一のグループに属する無線通信装置のリスト）を参照すればよいため、高速な処理が可能である。しかしながら、この例では、グループ管理データベース２２０におけるグループ情報が更新された際に、グループ情報記憶部１７２に保持されているグループ情報もこの更新に応じて更新する必要が生じる。例えば、通信制御装置（第１通信事業者）２００が備える機能によっては、この更新が難しい場合が考えられる。このような場合に対処する方法としは、情報処理装置（第１事業者）１７０がグループ情報を必要とする度に、通信制御装置（第１通信事業者）２００に保持されているグループ情報を参照する方法などが考えられる。
【０２１２】
そこで、本技術の第２の実施の形態では、情報処理装置（第１事業者）１７０がグループ情報を必要とする度に、通信制御装置（第１通信事業者）２００に保持されているグループ情報を参照する例について図２１を参照して説明する。
【０２１３】
なお、本技術の第２の実施の形態の機能構成は、情報処理装置（第１事業者）１７０におけるグループ情報記憶部１７２を省略した点以外は本技術の第１の実施の形態の機能構成と同様であるため、ここでの説明を省略する。ここでは、通信制御装置（第１通信事業者）２００に保持されているグループ情報を参照するタイミングに着目し、このグループ情報を参照するタイミングが示されているシーケンスチャートを図２１において説明する。
【０２１４】
［ログイン情報を利用する場合における通信例］
図２１は、本技術の第２の実施の形態における通信システムを構成する各装置間において、ログイン情報を取得してサービスを利用する際に行われる通信処理の一例を示すシーケンスチャートである。
【０２１５】
なお、図２１は、図１４において示したシーケンスチャートの変形例であり、グループ情報を参照してグループＩＤを取得する通信処理（７１１乃至７１４）が加わる点のみが異なる。そこで、図１４と同一の通信処理については、同一の符号を付してここでの説明を省略する。
【０２１６】
図２１に示すように、本技術の第２の実施の形態では、情報処理装置（第１事業者）１７０がログイン情報要求を受信すると（５５８）、グループ情報要求を通信制御装置（第１通信事業者）２００へ送信する（７１１、７１２）。なお、このグループ情報要求には、ログイン情報要求に含まれていた端末識別情報が含まれる。
【０２１７】
そして、グループ情報要求が通信制御装置（第１通信事業者）２００に受信されると、通信制御装置（第１通信事業者）２００の制御部２１０は、グループ情報要求に含まれている端末識別情報に基づいて、その端末識別情報により特定されるグループ情報を取得する。そして、通信制御装置（第１通信事業者）２００の制御部２１０は、取得したグループを識別する情報（例えば、グループＩＤ）を情報処理装置（第１事業者）１７０へ送信する（７１３、７１４）。そして、情報処理装置（第１事業者）１７０は、受信したグループＩＤに基づいてプロファイルを検出する（５６０）。
【０２１８】
このように、本技術の第２の実施の形態によれば、ログイン情報要求を受信する度に通信制御装置（第１通信事業者）からＭＣＩＭのグループ情報を取得することができる。すなわち、情報処理装置（第１事業者）１７０がグループ情報を保持しないため、情報処理装置（第１事業者）１７０が保持するグループ情報の更新が不要になる。
【０２１９】
このように、本技術の実施の形態によれば、ＭＣＩＭのグループ情報を用いて無線通信装置とログイン情報とを関連付けることで、ログインを必要とする通信サービスの無線通信装置に対する利便性が向上し、ユーザ好みの通信サービスを容易に受けることができる。
【０２２０】
なお、本技術の実施の形態では、供給されるログイン情報の用途として、第２の無線通信装置１３０（デジタルスチルカメラ）からオンラインストレージサービスに写真をアップロードする例について説明したが、これに限定されるものではない。他にも種々の用途が考えられる。例えば、デジタルフォトフレームに写真を定期的に供給するサービスなども考えられる。
【０２２１】
なお、本技術の実施の形態では、一体として構成される情報処理装置（通信制御装置１２０、２００等）を例にして説明した。ただし、これらの情報処理装置が備える各部（例えば、制御部２１０、グループ管理データベース２２０）を複数の装置により構成する情報処理システムについても本技術の実施の形態を適用することができる。また、本技術の実施の形態では、４の無線通信装置により構成されるグループＡＢを例にして説明したが、２、３、または、５以上の無線通信装置により構成されるグループについても本技術の実施の形態を適用することができる。
【０２２２】
また、携帯型の無線通信装置（例えば、データ通信専用端末装置）や、固定型の無線通信装置に本技術の実施の形態を適用することができる。例えば、自動販売機のデータ収集を目的とする無線通信装置、エレベータ、自動車、電子機器（例えば、家電製品、ゲーム機、デジタルフォトフレーム）に搭載されている無線通信装置に本技術の実施の形態を適用することができる。
【０２２３】
また、本技術の実施の形態では、ネットワーク接続権（接続権）として、ＭＣＩＭの使用権を例にして説明した。ただし、他の情報（例えば、ＵＳＩＭ（Universal Subscriber Identity Module））に基づいて、所定のネットワークと接続するための接続権についても、本技術の実施の形態を適用することができる。
【０２２４】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２２５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ハードディスク、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２２６】
なお、本技術は以下のような構成もとることができる。
（１）  無線通信を利用して所定のネットワークに接続するための接続権を共有する複数の無線通信装置から構成されるグループに属する無線通信装置を識別するための装置識別情報を登録するための登録要求を前記グループに属する無線通信装置から受信した場合に、前記登録要求を送信した無線通信装置が属するグループを構成する無線通信装置を識別するための装置識別情報を、前記グループを管理する管理システムから取得する取得部と、
前記取得された装置識別情報と、当該装置識別情報に係る無線通信装置が通信サービスを利用する際に用いられるログイン情報とを関連付けて保持部に保持させる制御を行う制御部と
を具備する情報処理装置。
（２）  前記制御部は、前記ログイン情報の供給要求を無線通信装置から受信した場合には、当該供給要求を送信した無線通信装置に係る装置識別情報に関連付けられている前記ログイン情報を供給する前記（１）に記載の情報処理装置。
（３）  前記供給要求には、前記装置識別情報が含まれており、
前記管理システムは、グループを識別するためのグループ識別情報と、当該グループ識別情報に係るグループに属する各無線通信装置に係る前記装置識別情報とを前記無線通信装置ごとに関連付けて保持し、
前記取得部は、前記登録要求を受信した場合に、前記登録要求を送信した無線通信装置が属するグループに係るグループ識別情報と、当該グループ識別情報に関連付けられている前記装置識別情報とを取得し、
前記制御部は、前記取得された装置識別情報と前記取得されたグループ識別情報とを関連付けて保持させて、前記供給要求を送信した無線通信装置に前記ログイン情報を供給する場合には、前記送信された供給要求に含まれている装置識別情報に基づいて前記供給要求を送信した無線通信装置が属するグループに係るグループ識別情報を検出し、当該検出されたグループ識別情報に関連付けられているログイン情報を前記供給要求を送信した無線通信装置に送信する
前記（２）に記載の情報処理装置。
（４）  前記情報処理装置は、前記ログイン情報を前記無線通信装置に送信する送信サービスを提供するサーバであり、
前記取得部は、前記送信サービスの提供を受けるためのログイン要求が行われた際に、前記管理システムが管理するグループに関するグループ情報を変更するための認証情報が供給された場合には、前記グループ識別情報および前記装置識別情報を取得する
前記（３）に記載の情報処理装置。
（５）  前記管理システムは、ＲＯ（Registration Operator）であり、
前記取得部は、前記ＲＯに接続するために用いられるＰＣＩＤ（Provisional Connectivity Identity）を前記装置識別情報として取得する
前記（１）から（４）のいずれかに記載の情報処理装置。
（６）  無線通信を利用して所定のネットワークに接続するための接続権を共有する複数の無線通信装置から構成されるグループを識別するためのグループ識別情報と、当該グループ識別情報に係るグループに属する無線通信装置が通信サービスを利用する際に用いられるログイン情報とを関連付けて保持する保持部と、
前記ログイン情報の供給要求を無線通信装置から受信した場合には、前記送信された供給要求に含まれている無線通信装置を識別するための装置識別情報を、前記グループ識別情報と当該グループ識別情報に係るグループに属する各無線通信装置に係る前記装置識別情報とを前記無線通信装置ごとに関連付けて保持する管理システムに送信する送信部と、
前記送信された装置識別情報に応じて前記管理システムから供給される情報であって、前記供給要求を送信した無線通信装置が属するグループに係る前記グループ識別情報を用いて、当該取得されたグループ識別情報に関連付けられているログイン情報を前記供給要求を送信した無線通信装置に送信する制御を行う制御部と
を具備する情報処理装置。
（７）  通信サービスを利用する際にログインを必要とする通信サービスのログイン情報と、無線通信を利用して所定のネットワークに接続するための接続権を共有する複数の無線通信装置から構成されるグループを識別するためのグループ識別情報とを関連付けて保持している情報処理装置へ送信する前記ログイン情報の供給要求であって、無線通信装置を識別するための装置識別情報を含む供給要求を送信する制御を行う第１制御部と、
前記送信された供給要求に含まれる装置識別情報に基づいて検出されたグループ識別情報に関連付けられているログイン情報が前記情報処理装置から供給された場合には、当該供給されたログイン情報に基づいて前記通信サービスにログインし、当該ログインの後に前記通信サービスの利用に関するデータの送受信の制御を行う第２制御部と
を具備する無線通信装置。
（８）  無線通信を利用して所定のネットワークに接続するための接続権を共有する複数の無線通信装置から構成されるグループを識別するためのグループ識別情報と、当該グループ識別情報に係るグループに属する各無線通信装置を識別するための装置識別情報とを前記無線通信装置ごとに関連付けて保持して前記グループを管理する管理サーバと、
前記グループ識別情報を取得するための登録要求を前記グループに属する無線通信装置から受信した場合に前記グループ識別情報および前記装置識別情報を前記管理サーバから取得し、当該取得されたグループ識別情報および装置識別情報と、当該取得されたグループ識別情報に係るグループに属する無線通信装置が通信サービスを利用する際に用いられるログイン情報とを関連付けて保持部に保持させる制御を行う情報処理装置と、
前記通信サービスを利用する際に、装置識別情報を含む前記ログイン情報の登録要求を前記情報処理装置に送信し、当該装置識別情報に基づいて検出されたログイン情報が前記情報処理装置から供給された場合には、当該ログイン情報に基づいて前記通信サービスにログインし、当該ログインの後に前記通信サービスの利用に関するデータの送受信の制御を行う無線通信装置と
を具備する通信システム。
（９）  無線通信を利用して所定のネットワークに接続するための接続権を共有する複数の無線通信装置から構成されるグループに属する無線通信装置を識別するための装置識別情報を登録するための登録要求を前記グループに属する無線通信装置から受信した場合に、前記登録要求を送信した無線通信装置が属するグループを構成する無線通信装置を識別するための装置識別情報を、前記グループを管理する管理システムから取得する取得手順と、
前記取得された装置識別情報と、当該装置識別情報に係る無線通信装置が通信サービスを利用する際に用いられるログイン情報とを関連付けて保持部に保持させる制御を行う制御手順と
を具備する情報処理装置の制御方法。
【符号の説明】
【０２２７】
１０、１００  通信システム
２１、３１、１２１、２０６  基地局
４０、１１０  ネットワーク
５０  サービス提供会社
５１  情報処理装置
１２０  通信制御装置（第２通信事業者）
１２５、１７１、２１０  制御部
１３０  第２の無線通信装置
１４０  第３の無線通信装置
１５０  第４の無線通信装置
１６０  情報処理装置（第２事業者）
１６１  コンテンツ記憶部
１７０  情報処理装置（第１事業者）
１７２  グループ情報記憶部
１８０  プロファイル記憶部
２００  通信制御装置（第１通信事業者）
２０５  通信部
３００  第１の無線通信装置
【図１】
0005845802.tif 000002
【図２】
0005845802.tif 000003
【図３】
0005845802.tif 000004
【図４】
0005845802.tif 000005
【図５】
0005845802.tif 000006
【図６】
0005845802.tif 000007
【図７】
0005845802.tif 000008
【図８】
0005845802.tif 000009
【図９】
0005845802.tif 000010
【図１０】
0005845802.tif 000011
【図１１】
0005845802.tif 000012
【図１２】
0005845802.tif 000013
【図１３】
0005845802.tif 000014
【図１４】
0005845802.tif 000015
【図１５】
0005845802.tif 000016
【図１６】
0005845802.tif 000017
【図１７】
0005845802.tif 000018
【図１８】
0005845802.tif 000019
【図１９】
0005845802.tif 000020
【図２０】
0005845802.tif 000021
【図２１】
0005845802.tif 000022